(57)【特許請求の範囲】
【請求項１】
ロット別固有情報の第１の電子透かし情報が埋め込まれた背景パターンが予め印刷された媒体に、文字又は画像をそれぞれ独立又は文字と画像との両方からなる前面パターンを印刷する電子透かし印刷装置であって、
前記背景パターンに埋め込まれた前記第１の電子透かし情報を読み取る読み取り手段と、
前記第１の電子透かし情報と、前記媒体を一意に特定する個別固有情報とから、前記前面パターン用の第２の電子透かし情報を生成する電子透かし生成手段と、
前記第２の電子透かしを入れた前面画像データを生成する電子透かし入り画像データ生成手段と、
前記第２の電子透かしを入れた前面画像データから印刷出力データを生成する印刷データ生成手段と、
前記印刷出力データを媒体に印刷する第２の印刷手段と、
を具備することを特徴とする電子透かし印刷装置。
【請求項２】
前記第１の電子透かし情報から得られるロット別固有情報により、前記媒体が正当であることを確認する確認手段を有することを特徴とする請求項１に記載の電子透かし印刷装置。
【請求項３】
少なくともカード又はチケットを含む媒体に印刷された背景パターン中の第１の電子透かし情報となっているロット別固有情報と、前面パターン中の第２の電子透かし情報となっている個別固有情報及び前記ロット別固有情報とを読み取る電子透かし検出装置であって、
媒体を走査してデジタル画像データを得る画像スキャン手段と、
このデジタル画像データから、前記第１の電子透かし情報となっているロット別固有情報を検出する背景パターン電子透かし読取手段と、
このデジタル画像データから、前記第２の電子透かし情報となっている個別固有情報及びロット別固有情報を検出する前面パターン電子透かし読取手段と、
前記第１の電子透かし情報から検出されたロット別固有情報と、前記第２の電子透かし情報から検出されたロット別固有情報とを照合する照合手段と
を具備することを特徴とする電子透かし検出装置。
【請求項４】
前記検出されたロット別固有情報の電子透かし情報の正当性を確認するロット別固有情報の確認手段と、
前記検出された個別固有情報の電子透かし情報の正当性を確認する個別固有情報の確認手段と、
前記各確認手段及び照合手段から得られる確認結果及び照合結果を出力する出力手段と
を有することを特徴とする請求項３記載の電子透かし検出装置。
【請求項５】
少なくともカード又はチケットを含む印刷用の媒体であり、ロット別固有情報の第１の電子透かし情報が埋め込まれた背景パターンが予め印刷されており、文字又は画像をそれぞれ独立又は文字と画像との両方からなる前面パターンが印刷される、電子透かしが印刷された媒体であって、
前記背景パターンに埋め込まれた前記第１の電子透かし情報と、前記媒体を一意に特定する個別固有情報とからなる、前記前面パターン用の第２の電子透かし情報が埋め込まれた第２の電子透かし入り画像データが前記前面パターンとして印刷されていることを特徴とする電子透かしが印刷された媒体。
【発明の詳細な説明】
【０００１】
【発明の属する技術分野】
本発明は、電子透かしを印刷した媒体、電子透かし印刷装置、電子透かし検出装置、電子透かし印刷方法、及び電子透かし検出方法に関する。
【０００２】
【従来の技術】
従来、カード類、金券類、チケット類などの印刷物の偽造防止手段として、特殊な凹版印刷、万線モアレ、不可視インク、ホログラムなど、物理的な製造の困難性に依存するものがほとんどであった。しかし、この方法は、偽造者が製造技術を入手し、偽造できるようになった時点で偽造防止効果がなくなるという問題があった。
【０００３】
また、近年は、カードの偽造防止対策としてホログラムシールやＩＣカード化が有効な方法とされているが、専用の印刷・製造装置が必要となり、コストの増加と納期が遅くなるなどの問題がある。また、ＩＣカードなどは、使い捨てになる金券類やチケット類などには不向きである。
【０００４】
一方、近年電子透かしと呼ばれる技術が開発され注目されている。電子透かしは、画像や音声などのディジタル化されたマルチメディアデータに、外見からは分からないように数値や文字などの情報を埋め込む技術であり、ディジタルコンテンツの著作権保護に有効なものである。
【０００５】
しかしながら、ディジタルコンテンツに対応できる電子透かし技術は、印刷物などのアナログ化された媒体に展開された場合に、電子透かしが検出されないと言った問題があった。
【０００６】
【発明が解決しようとする課題】
本発明は、上記課題に鑑みなされたものであり、従来型の物理的な偽造防止効果を維持しつつ、電子透かしによる改ざん防止効果を合わせ持ち、さらに、市販のプリンタを使用して簡単にかつセキュリティレベルの高いカードやチケットの発券を可能にする電子透かしを印刷した媒体、電子透かし印刷装置、電子透かし検出装置、電子透かし印刷方法、及び電子透かし検出方法を提供することを目的とする。
【０００７】
【課題を解決するための手段】
この発明の構成により、カードやチケットなどの媒体の地紋や背景パターン中に、電子透かしを埋め込むようにする。
これにより、広い範囲の地紋や背景パターンに多くの電子透かしの情報と、冗長成分も多く入れ、読み出しの失敗も少ない。そのため、偽造防止のための特殊なチケット用紙などを準備する必要が無く、また、普通紙プリンタを使用できる。また、偽造防止のための特殊なチケット用紙の保管と管理の必要がなくなる。また。チケットなどの発券費用のコストの削減が図れる。
【０００８】
また、本発明は、前記電子透かしが繰り返しパターンで挿入されたことを特徴とする。
上記構成によれば、地紋や背景パターン中にいれる電子透かしを繰り返しのパターンとする。これにより、冗長成分を多く入れることができ、電子透かしの読み出しの失敗が少なくなり。そのため、普通紙プリンタを使用できる。また、偽造防止のための特殊なチケット用紙の保管と管理の必要がなくなる。
【０００９】
また、本発明は、前記地紋または背景パターンに電子透かしが埋め込まれた媒体の表面上に、さらに、前面パターンとして、文字又は画像をそれぞれ独立又は文字と画像との両方が印刷されたことを特徴とする。
上記構成によれば、カードやチケットなどの地紋や背景パターンに電子透かしを埋め込む他、チケットなどの前面にチケットを特定する文字情報などを印字する。これにより、背景パターンの電子透かしの情報と、チケットなどの文字情報との照合ができ、チケットなどの正当性の確認が簡単に行える。
【００１０】
また、本発明は、前記前面パターンに、さらに、媒体の発行者が指定する情報を電子透かしとして埋め込んだことを特徴とする。
上記構成によれば、本発明の構成により、前面パターンに、さらに、媒体の発行者が指定する情報を電子透かしとして埋め込むようにする。これにより、 前面パターンに埋め込まれた電子透かしの情報と、券面情報との照合ができセキュリティレベルの向上が図れる。
【００１１】
また、本発明は、前記背景パターンに挿入された電子透かし情報又は前記前面パターンに挿入された電子透かしの情報と、前記前面パターンとして印刷された文字情報とが、照合を行うために関連付けられていることを特徴とする請求項３又は請求項４に記載の電子透かしが印刷された媒体としたものである。
上記構成によれば、背景パターンに挿入された電子透かし情報と、前面パターンとして印刷された文字情報とを照合できるように関連づける。例えば、同じ「予約番号」などを使用する。これにより、 背景パターンや前面パターンに埋め込まれた電子透かしの情報と、券面情報との照合ができ、チケットなどの正当性の確認が容易になる。
【００１２】
また、本発明は、前記電子透かしの情報としては、媒体の発行者のみが知り得る発券者秘密情報と、発行する媒体を一意に特定できる固有情報とを使用することを特徴とする。
上記構成によれば、本発明の構成により、電子透かしの情報としては、媒体の発行者のみが知り得る発券者秘密情報と、発行する媒体を一意に特定できる固有情報とを使用する。これにより、 前面パターンに埋め込まれた電子透かしの情報と、券面情報との照合ができセキュリティレベルの向上が図れる。これにより、 発券者秘密情報と電子透かしの情報との照合が行われ、セキュリティレベルを大幅に向上できる。
【００１３】
また、本発明によれば、少なくともカード及びチケットを含む印刷用の媒体であって、ロット別固有情報の電子透かし情報が埋め込まれた背景パターンが印刷され、さらにその上に文字又は画像をそれぞれ独立又は文字と画像との両方からなる前面パターンが印刷され、さらにこの前面パターン中に媒体を一意に特定する個別固有情報が電子透かし情報として埋め込まれていることを特徴とする。
上記構成によれば、ロット別固有情報の電子透かしが埋め込まれた背景パターンが予め印刷されたチケットなどの上に、文字又は画像をそれぞれ独立又は文字と画像との両方からなる前面パターンを印刷し、さらに、この前面パターンにチケットなどを一意に特定する固有情報を電子透かしとして埋め込んでおく。これにより、まず用紙の入手が困難であるという物理的な偽造防止効果が図れると共に、前面パターンの電子透かしにより２重の偽造防止効果を図ることができる。
【００１４】
また、本発明は、前記前面パターンを文字情報とし、該文字情報と前面パターンに埋め込まれた電子透かしの情報とが、照合のために関連づけられていることを特徴とする。上記構成によれば、本発明の構成により、カードやチケットなどの媒体の背景パターンに埋め込まれた電子透かしの情報と、券面に印刷された文字情報とを照合できるようにする。これにより、 背景パターンや前面パターンに埋め込まれた電子透かしの情報と、券面情報との照合ができ、チケットなどの正当性の確認が容易になる。
【００１５】
また、本発明は、前記前面パターンに埋め込む電子透かしの情報としては、媒体の発行者のみが知り得る秘密情報と、発行する媒体を一意に特定できる固有情報とを使用することを特徴とする。
上記構成によれば、カードやチケットなどの媒体の前面パターンに埋め込む電子透かしとして、媒体の発行者のみが知り得る秘密情報と、発行する媒体を一意に特定できる固有情報とを使用する。これにより、 発券者秘密情報と電子透かしの情報との照合が行われ、セキュリティレベルを大幅に向上できる。
【００１６】
また、請求項３記載の発明は、少なくともカード又はチケットを含む媒体の地紋または背景パターン中に、この媒体の発行者が指定した所定の情報を電子透かし情報として埋め込んだ電子透かし入り背景画像データを生成する電子透かし入り画像データ生成手段と、前記電子透かし入り背景画像データを媒体に印刷するための印刷出力データを生成する印刷出力データ生成手段と、前記印刷出力データをこの媒体上に印刷する印刷手段と、を具備することを特徴とする。
【００１７】
上記構成によれば、カードやチケットなどの媒体の地紋や背景パターン中に、電子透かしを埋め込むようにする。これにより、広い範囲の地紋や背景パターンに多くの電子透かしの情報と、冗長成分も多く入れ、読み出しの失敗も少ない。そのため、偽造防止のための特殊なチケット用紙などを準備する必要が無く、また、普通紙プリンタを使用できる。また、偽造防止のための特殊なチケット用紙の保管と管理の必要がなくなる。また。チケットなどの発券費用のコストの削減が図れる。
【００１８】
また、本発明は、前記電子透かし情報として繰り返しパタンを挿入する手段をさらに具備することを特徴とする請求項７記載の電子透かし印刷装置としたものである。
上記構成によれば、地紋や背景パターン中に埋め込む電子透かしを繰り返しのパターンとする。これにより、冗長成分を多く入れることができ、電子透かしの読み出しの失敗が少なくなる。そのため、普通紙プリンタを使用できる。また、偽造防止のための特殊なチケット用紙の保管と管理の必要がなくなる。
【００１９】
また、請求項４記載の発明は、少なくともカード又はチケットを含む媒体に文字又は画像をそれぞれ独立又は文字と画像との両方を前面パターンとして印刷するための第２の印刷出力データを生成する第２の印刷出力データ生成手段と、前記第２の印刷出力データを媒体に印刷する第２の印刷手段と、を具備することを特徴とする。
上記構成によれば、カードやチケットなどの地紋や背景パターンに電子透かしを埋め込む他、チケットなどの前面にチケットを特定する文字情報などを印字する。これにより、背景パターンの電子透かしの情報と、チケットなどの文字情報との照合ができ、チケットなどの正当性の確認が簡単に行える。
【００２０】
また、請求項５記載の発明は、前記第２の印刷出力データには、予め発券者が指定した所定の情報を電子透かし情報として埋め込む第２の電子透かし入り画像データ生成手段をさらに具備することを特徴とする。
上記構成によれば、前面パターンに、さらに、媒体の発行者が指定する情報を電子透かしとして埋め込むようにする。これにより、 前面パターンに埋め込まれた電子透かしの情報と、券面情報との照合ができセキュリティレベルの向上が図れる。
【００２１】
また、本発明は、前記電子透かしとして埋め込む情報を予め暗号鍵を用いて暗号化する手段をさらに具備することを特徴とする。
上記構成によれば、電子透かしとして使用する情報を予め暗号鍵を用いて暗号化する。これにより、電子透かしの情報が第３者に知られても、容易に偽造することができなくなり、セキュリティレベルを一段と向上させたカードやチケットを、普通紙プリンタなどで簡単に印刷できる。
【００２２】
また、本発明は、ユーザから入力されるパスフレーズを受け付けるパスフレーズ入力手段と、前記パスフレーズから暗号鍵を生成する手段と、をさらに具備することを特徴とするのである。
上記構成によれば、電子透かしとして埋め込む情報を暗号化する際に使用する暗号鍵を、ユーザが入力するパスフレーズを基に生成する。これにより、著しく高度なセキュリティレベルを持つチケットやカードを、普通紙プリンタなどでも容易に発券できるようになる。
【００２３】
また、請求項６記載の発明によれば、少なくともカード又はチケットを含む印刷用の媒体の背景パターンを印刷するための電子透かし印刷装置であって、前記媒体の発行者が指定したロット別固有情報を電子透かし情報として埋め込んだ電子透かし入り背景画像データを生成する電子透かし入り画像データ生成手段と、前記電子透かし入り背景画像データから印刷出力データを生成する印刷出力データ生成手段と、前記印刷出力データを印刷用の媒体に印刷する印刷手段と、を具備することを特徴とする。
上記構成によれば、ロット別固有情報が電子透かしとして埋め込まれた背景画像データを生成し、この電子透かし入り画像データをグラビア印刷機やオフセット印刷機などで大量に安価に発行する。これにより、まず用紙の入手が困難であるという物理的な偽造防止効果が図れる。
【００２４】
また、請求項７記載の発明によれば、少なくともカード又はチケットを含む印刷用の媒体の背景パターンを印刷するための電子透かし印刷装置であって、この媒体の発行者が指定したロット別固有情報を暗号化する暗号化手段と、この暗号化されたロット別固有情報を電子透かし情報として埋め込んだ電子透かし入り背景画像データを生成する電子透かし入り画像データ生成手段と、この電子透かし入り背景画像データから印刷出力データを生成する印刷出力データ生成手段と、前記印刷出力データを印刷用の媒体に印刷する印刷手段と、を具備することを特徴とする。
上記構成によれば、暗号化されたロット別固有情報が電子透かしとして埋め込まれた背景画像データを生成し、この暗号化された電子透かし入り画像データをグラビア印刷機やオフセット印刷機などで大量に安価に発行する。これにより、電子透かしの情報が公表され、または外部に漏れても暗号化の方法が分からないので、容易には偽造できない。
【００２５】
また、請求項８記載の発明によれば、ロット別固有情報の電子透かしが埋め込まれた背景パターンが予め印刷された媒体のさらにその上に、文字又は画像をそれぞれ独立又は文字と画像との両方からなる前面パターンを印刷する印刷装置であって、前記前面パターンに媒体を一意に特定する個別固有情報を電子透かしとして埋め込む前面パターン画像データ生成手段と、前記前面パターン画像データから印刷出力データを生成する手段と、前記印刷出力データを媒体上に印刷する手段とを具備することを特徴とする電子透かし印刷装置としたものである。
上記構成によれば、ロット別固有情報の電子透かしが埋め込まれた背景パターンが予め印刷されたチケットなどの上に、文字又は画像をそれぞれ独立又は文字と画像との両方からなる前面パターンを印刷し、さらに、この前面パターンにチケットなどを一意に特定する個別固有情報を電子透かしとして埋め込んでおく。これにより、まず用紙の入手が困難であるという物理的な偽造防止効果が図れると共に、前面パターンの電子透かしにより２重の偽造防止効果を図ることができる。
【００２６】
また、本発明は、ロット別固有情報の電子透かしが埋め込まれた背景パターンが予め印刷された媒体のさらにその上に、文字又は画像をそれぞれ独立又は文字と画像との両方からなる前面パターンを印刷する印刷機であって、媒体の表面をスキャンしてディジタル画像データを得る画像スキャン手段と、前記ディジタル画像データから、ロット別固有情報の電子透かし情報を検出する電子透かし情報検出手段と、前記検出された電子透かし情報の正当性を確認するロット別固有情報の確認手段と、媒体を一意に特定する個別固有情報を暗号化する手段と、前記検出されたロット別固有情報と前記暗号化された個別固有情報を基に、前面パターンに埋め込む電子透かしを生成し、電子透かし入り画像データを生成する手段と、前記電子透かし入り画像データから印刷出力データを生成する手段と、前記印刷出力データを印刷する手段とを具備することを特徴とする。
【００２７】
上記構成によれば、暗号化されたロット別固有情報の電子透かしが埋め込まれた背景パターンを読み取り、また、媒体を一意に特定する個別固有情報を暗号化し、この暗号化された個別固有情報と、前記読み取ったロット別固有情報とを基に、前面パターンに埋め込む電子透かしを生成し、この電子透かし入り画像データをチケットなどの券面に印刷する。これにより、ロット別固有情報の電子透かし情報が背景パターンとして印刷されたチケットなどの正当性が確認できると共に、さらに暗号化された電子透かしが埋め込まれた前面パターンを印刷するので、セキュリティレベルの高いチケットやカードなどを発行することが可能になる。
【００２８】
また、請求項９記載の発明は、媒体に印刷された地紋または背景パターンに埋め込まれた電子透かし情報と、媒体に印字された文字情報を読み取る電子透かし検出装置であって、媒体を走査してデジタル画像データを得る画像スキャン手段と、このデジタル画像データから、地紋または背景パターンに埋め込まれた電子透かし情報を検出する電子透かし情報検出手段と、このデジタル画像データから、媒体に印刷された文字情報を読み取る文字検出手段と、この検出された電子透かし情報と前記文字情報とを照合するデータ照合手段と、前記データ照合手段から得られる照合結果を出力する出力手段と、を具備することを特徴とする。
上記構成によれば、カードやチケットなどの媒体に印刷された地紋又は背景パターンに埋め込まれた電子透かし情報を検出し、また媒体の表面に印刷された文字情報を読み取り、電子透かしの情報と文字情報とを照合し、照合結果を表示する。これにより、地紋や背景パターンなどに埋め込まれた電子透かしの情報と、券面情報との照合ができセキュリティレベルの向上が図れる。
なお、印刷物からも正確な電子透かし情報を読み出すために、本出願人らにより発明された特願２０００−２４８８６７号などに記載されている電子透かし合成方法など、その他の電子透かし技術を用いることが好ましい。
【００２９】
また、請求項１０記載の発明は、媒体に印刷された地紋または背景パターンに埋め込まれた電子透かし情報を読み取る電子透かし検出装置であって、媒体を走査してデジタル画像データを得る画像スキャン手段と、このデジタル画像データから、地紋または背景パターンに埋め込まれた電子透かし情報を検出する電子透かし情報検出手段と、予め媒体の発行者から通知された電子透かし情報に関する秘密情報を記憶する発行者秘密情報記憶手段と、この検出された電子透かし情報と前記秘密情報とを照合するデータ照合手段と、前記データ照合手段から得られる照合結果を出力する出力手段と、を具備することを特徴とする。
上記構成によれば、媒体に印刷された地紋又は背景パターンから電子透かし情報を検出し、予め媒体の発行者から通知された電子透かしに関する秘密情報と照合する。これにより、 発行者秘密情報と電子透かしの情報との照合が行われ、セキュリティレベルを大幅に向上できる。
【００３０】
また、本発明は、媒体に印刷された地紋又は背景パターンとそれらに埋め込まれた暗号化された電子透かし情報と、媒体に印刷された文字情報を読み取る電子透かし検出装置であって、媒体の表面をスキャンしてディジタル画像データを得る画像スキャン手段と、前記ディジタル画像データから、暗号化された電子透かし情報を検出する電子透かし情報検出手段と、予めカード又はチケットの発行者から通知された電子透かしに関する秘密情報と暗号鍵の情報を記憶する手段と、前記ディジタル画像データから媒体の表面に印刷された文字情報を読み取る文字検出手段と、前記文字情報と前記秘密情報を結合し、さらに前記暗号鍵を使用して固有情報として暗号化する暗号化手段と、前記暗号化された固有情報と、前記電子透かし情報検出手段により得られた暗号化された電子透かし情報とを照合する手段と、前記照合結果を表示する手段と、を具備することを特徴とする。
【００３１】
上記構成によれば、チケットやカードなどの媒体に印刷された暗号化された電子透かし情報を検出し、予め媒体の発行者から通知された電子透かしに関する秘密情報と暗号鍵の情報を記憶しておき、媒体の表面から読み取った文字情報と前記秘密情報を結合し、さらに前記暗号鍵を使用して固有情報として暗号化し、この暗号化された固有情報と、暗号化された電子透かし情報とを照合する。これにより、電子透かしと秘密情報と暗号鍵の３段階の偽造防止対策が行われた媒体を読み取るようになるので、電子透かしの情報などが第３者に知られても、容易に偽造することができなくなり、セキュリティレベルを一段と向上させたカードやチケットを使用できるようになる。
【００３２】
また、本発明は、前記暗号鍵がユーザが入力するパスフレーズを基に生成されることを特徴とする。
上記構成によれば、電子透かしを検出する際に使用する暗号鍵を、ユーザが入力するパスフレーズを基に生成する。これにより、著しく高度なセキュリティレベルを持つチケットやカードを、普通紙プリンタなどでも容易に発券し、使用できるようになる。
【００３３】
また、請求項１１記載の発明によれば、少なくともカード又はチケットを含む媒体に印刷された背景パターン中の電子透かし情報となっているロット別固有情報と、前面パターン中の電子透かし情報となっている個別固有情報とを読み取る電子透かし検出装置であって、媒体を走査してデジタル画像データを得る画像スキャン手段と、このデジタル画像データから、背景パターン中の電子透かし情報となっているロット別固有情報を検出する背景パターン電子透かし読取手段と、前記検出されたロット別固有情報の電子透かし情報の正当性を確認するロット別固有情報の確認手段と、このデジタル画像データから、前面パターン中の電子透かし情報となっている個別固有情報を検出する前面パターン電子透かし読取手段と、前記検出された個別固有情報の電子透かし情報の正当性を確認する個別固有情報の確認手段と、前記ロット別固有情報と、前記個別固有情報とを照合する照合手段と、前記照合手段から得られる照合結果を出力する出力手段と、を具備することを特徴とする。
【００３４】
上記構成によれば、チケットやカードなどの媒体の背景パターンに埋め込まれた暗号化されたロット別固有情報の電子透かしを読み取り、その正当性を確認すると共に、前面パターンに埋め込まれた暗号化された個別固有情報の電子透かしを読み取り、その正当性を確認し、このロット別固有情報と個別固有情報中の対応するデータを照合するようにする。これにより、偽造防止効果が著しく高いチケットやカードの発行と使用が可能になる。
【００３５】
また、請求項１２記載の発明は、少なくともカード又はチケットを含む媒体の地紋または背景パターン中に、この媒体の発行者が指定した所定の情報を電子透かし情報として埋め込んだ電子透かし入り背景画像データを生成する電子透かし入り画像データ生成手順と、前記電子透かし入り画像データ生成手順によって生成される電子透かし入り背景画像データを媒体に印刷するための印刷出力データを生成する印刷出力データ生成手順と、前記印刷出力データをこの媒体上に印刷する印刷手順と、を特徴とする。
【００３６】
また、請求項１３記載の発明は、少なくともカード又はチケットを含む印刷用の媒体の背景パターンを印刷するための電子透かし印刷方法であって、前記媒体の発行者が指定したロット別固有情報を電子透かし情報として埋め込んだ電子透かし入り背景画像データを生成する電子透かし入り画像データ生成手順と、この電子透かし入り背景画像データから印刷出力データを生成する印刷出力データ生成手順と、前記印刷出力データ生成手順において生成される印刷出力データを印刷用の媒体に印刷する印刷手順と、を含むことを特徴とする。
【００３７】
また、請求項１４記載の発明は、ロット別固有情報の電子透かし情報が埋め込まれた背景パターンが予め印刷された媒体に、文字又は画像をそれぞれ独立又は文字と画像との両方からなる前面パターンを印刷する電子透かし印刷方法であって、前記前面パターンに媒体を一意に特定する個別固有情報を電子透かし情報として埋め込み、電子透かしを入れた前面画像データを生成する第２の電子透かし入り画像データ生成手順と、前記電子透かしを入れた前面画像データから第２の印刷出力データを生成する第２の印刷出力手順と、前記第２の印刷出力手順によって生成される第２の印刷出力データを媒体に印刷する印刷手順と、を特徴とする。
【００３８】
また、請求項１５記載の発明は、媒体に印刷された地紋または背景パターンに埋め込まれた電子透かし情報と、媒体に印字された文字情報を読み取る電子透かし検出方法であって、媒体を走査してデジタル画像データを得る画像スキャン手順と、このデジタル画像データから、地紋または背景パターンに埋め込まれた電子透かし情報を検出する電子透かし情報検出手順と、このデジタル画像データから、媒体に印刷された文字情報を読み取る文字検出手順と、この検出された電子透かし情報と前記文字情報とを照合するデータ照合手順と、前記データ照合手順から得られる照合結果を出力する出力手順と、を特徴とする。
【００３９】
【発明の実施の形態】
以下、本発明の実施の形態を図示例と共に説明する。
【００４０】
［概要］
図１は、本発明によるカード及びチケットの偽造防止モデルについて説明するための図であり、コンビニエンスストア１などでカードやチケット７を発行する例について説明するための図である。以下、図１に示すモデルにおける動作の概要について説明する。なお、図１では、チケット７を用いた場合について説明する。
【００４１】
・発券センタなどのチケット発券情報ＤＢ（データベース）６に記録された「発券者秘密情報」、「購入者コード」、「販売者コード」、「予約番号」、「日付」などのチケット発券情報を、ネットワーク２を介して、コンビニエンスストア１に設備されたチケット出力装置３に送信する。
・チケット出力装置３では、背景画像データが登録された背景画像データベース４から背景画像データを取り出し、その背景画像データ中に、電子透かし情報として、例えば「発券者秘密情報」、「購入者コード」、「販売者コード」、「予約番号」、「日付」などの情報を埋め込み、普通紙プリンタ５によりチケット７の券面上に背景画像（又は地紋）を印刷する。また、チケット７の券面には、「イベント内容」の表示や、「購入者コード」、「販売者コード」、「予約番号」、「日付」などが同時に印刷される。
・チケット７の読み取りと照合については、例えば、イベント会場の入場ゲートなどでチケット７をディジタルカメラ８ａ又はハンドスキャナ８ｂで読み取りディジタルデータ化し、電子透かし検出装置９の表示画面上に読み取った「電子透かし情報」を表示し、入場ゲートの係員などが、電子透かし検出装置９に表示された「電子透かし情報」と、チケット７の券面に印刷された情報とを目視で照合する。または、「券面に印刷された情報」を券面文字自動認識装置（ＯＣＲ等）で読み取り、「券面に印刷された情報」と「電子透かし情報」とを照合して、その照合結果を電子透かし検出装置９に表示させる。またさらに、電子透かし検出装置９に予め発券者秘密情報を記録した発見者秘密情報データベース１０を設けておき、チケット７に印刷された電子透かし情報中に埋め込まれた発券者秘密情報と照合することもできる。
【００４２】
以上説明したチケットの偽造防止モデルにより、コンビニエンスストア１などで普通紙プリンタ５により、セキュリティの高いカードやチケット７を発券することが可能になる。このようにして、本発明を用いて発行されるカードやチケット類は以下のような分野に応用できる。
・カード類：小売店用のポイントカード、アミューズメント施設用のポイントカード、プリペイドカード
・チケット類：スポーツ観戦チケット、演劇鑑賞チケット、音楽鑑賞チケットなど
・金券類：飛行機クーポン券、新幹線回数券、宝くじなど
【００４３】
［電子透かしの暗号化とメッセージダイジェスト（ＭＤ）について］
また、本発明では、電子透かし情報などを暗号化することにより、さらに高いセキュリティレベルを設定することができる。すなわち、暗号化を行うことにより、電子透かし情報の埋め込み方法が公表された場合や、外部の者に知られた場合などにも、同じ電子透かし情報を挿入することができないようにすることができる。
【００４４】
（１）本発明では、暗号化の方法として、一般的な「暗号鍵」を使用した暗号化方法を使用できる他、与えられた平文（フレーズやパスワード）から「ハッシュ関数」を使用して固定長の疑似乱数を生成する方法を使用することができる。なお、本明細書では、「ハッシュ関数」により生成した疑似乱数を「メッセージダイジェスト（ＭＤ）」と呼ぶ。
また、メッセージダイジェスト（ＭＤ）を生成する方法には、「暗号鍵」を使用する場合と使用しない場合の２種類があり、本発明ではいずれの方法も使用することができる。図２は、メッセージダイジェスト（ＭＤ）の生成方法について説明するための図であり、図２（ａ）は、「暗号鍵」と「鍵付きハッシュ関数」を使用する場合の例を示しており、暗号鍵１１ｂと鍵付きハッシュ関数１１ｃを使用して、情報（平文）１１ａから鍵付きメッセージダイジェスト（ＭＤ）１１ｄを生成する。また、図２（ｂ）は、鍵なしハッシュ関数１２ｂを使用して、情報（平文）１２ａから鍵なしメッセージダイジェスト（ＭＤ）１２ｃを生成する。この「暗号鍵」を使用することにより、容易に外部の第３者に情報が漏れず、偽造防止を図ることができる。なお、メッセージダイジェスト（ＭＤ）は、記録する情報に付加して、情報の読み出し誤りの防止に使用することもできる。
【００４５】
（２）また、図３は、暗号化方法と復号方法について説明するための図その１であり、一般的な「暗号鍵」を使用した場合の例である。
・図３（ａ）は暗号化の例を示す図であり、電子透かし情報として埋め込む情報（平文）１３ａ（例えば、チケット発券情報など）を、暗号鍵１３ｂと暗号手段１３ｃ用いて、暗号化された情報（暗号文）１３ｄを生成する。そして、電子透かし埋め込み手段１３ｅにより、暗号化された電子透かし情報１３ｆをチケットやカードの券面に印刷される背景画像データ１３ｆである地紋や背景パターン中に電子透かし情報として埋め込む。これにより、電子透かし埋め込み手段１３ｅは、電子透かし情報を埋め込んだ背景画像データ１３ｇを生成する。
・図３（ｂ）は復号化の例を示す図であり、チケットなどの背景パターンや地紋に印刷された電子透かし（暗号文）情報１４ａを、電子透かし読み出し手段１４ｂにより読み取り、読み取った情報（暗号文）１４ｃを、暗号鍵１４ｅと復号化手段１４ｄにより復号し、情報（平文）１４ｆを得る。一方、チケットなどの券面に印刷された文字や画像１４ｇを、文字検出手段１４ｈにより読み取り券面情報１４ｋを得る。そして、照合手段１４ｎにより、電子透かし情報から得られた情報１４ｆと券面情報１４ｋとを照合する。
【００４６】
（３）また、図４は、暗号化方法と復号方法について説明するための図その２であり、「鍵付きハッシュ関数」を使用した場合の例である。
・図４（ａ）は暗号化の例を示す図であり、電子透かしとして埋め込む情報（平文）１５ａ（例えば、チケット発券情報など）を、暗号鍵１５ｂと鍵付きハッシュ関数１５ｃを用いて、暗号化された情報（メッセージダイジェスト（ＭＤ））１５ｄを生成する。そして、電子透かし埋め込み手段１３ｅにより、情報（ＭＤ）１５ｄを電子透かし情報（メッセージダイジェスト（ＭＤ）として、チケットやカードの券面に印刷される地紋や背景パターン中に埋め込む。これにより、電子透かし埋め込み手段１５ｅは、電子透かし情報（ＭＤ）を埋め込んだ背景画像データ１５ｆを生成する。
・図４（ｂ）は復号化の例を示す図であり、チケットなどの背景パターンや地紋に印刷された電子透かし情報（メッセージダイジェスト（ＭＤ））１６ａを、電子透かし読み出し手段１６ｂにより読み取り、情報（メッセージダイジェスト（ＭＤ））１６ｃを得る。一方、チケットなどの券面に印刷された文字や画像１６ｄを、文字検出手段１６ｅにより読み取り券面情報１６ｆを得る。そして、暗号鍵１６ｇと鍵付きハッシュ関数１６ｈを使用して、券面情報１６ｆから、メッセージダイジェスト（ＭＤ）の券面情報（ＭＤ）１６ｋを得る。そして、照合手段１６ｎにより、電子透かし情報１６ａから得られた情報（ＭＤ）１６ｃと演算により求めた券面情報（ＭＤ）１６ｋとを照合する。このメッセージダイジェストを用いることにより、電子透かし情報の情報量を削減することができる。
【００４７】
（４）また、図５はパスフレーズ（一般にはパスワードよりは長文の文字列や記号列）から「暗号鍵」を生成する場合の例を示す図である。
・図５（ａ）において、各カード及びチケットの固有情報（「例えば、発券者秘密情報」、「購入者コード」、「販売者コード」、「予約番号」、「日付」などを結合したチケット発券情報）から、暗号鍵１７を用いて、共通鍵暗号ＣＢＣモードを使用したメッセージダイジェストを作成する（ステップＳ１）。このメッセージダイジェストを、電子透かし情報として背景画像データである地紋や背景パターンに埋め込む（ステップＳ２）。
・図５（ｂ）は、暗号鍵の生成方法を示しており、カード又はチケット利用者（ユーザ）の決めたパスフレーズ（一般には、パスワードよりは長文の文字列や記号列）の方がより安全であるから、例えば、ＰＫＣＳ(Public-Key Cryptography Standards）＃１２に規定されたアルゴリズムにより、暗号鍵１４を生成する（ステップＳ３）。
この方法により、カード又はチケットの利用者のみが知り得る情報から、暗号鍵１４を生成するようにすれば、利用者本人以外による偽造カード又はチケットの使用を排除できる。また、暗号鍵を特定の場所に保存しておく必要がない。
【００４８】
（５）また、本発明では、電子透かし情報の読み出し誤り防止のために、メッセージダイジェスト（ＭＤ）を利用することができる。なお、明細書では、電子透かし情報の読み出し誤り防止のためにのメッセージダイジェスト（ＭＤ）を「固有ＭＤ」と称する。図６は、電子透かし用の固有ＭＤの利用方法について説明するための図であり、図６（ａ）は電子透かし情報を埋め込み時の例、図６（ｂ）は電子透かし情報を読み出し時の例を示している。
・図６（ａ）に示す電子透かし情報の埋め込み時においては、チケット発券情報などの固有情報（または暗号化された固有情報）１８ａから、鍵付き又は鍵なしハッシュ関数１８ｂにより、固有ＭＤ１８ｃを生成する。それから、結合手段１８ｄにより、固有情報１８ａと固有ＭＤ１８ｃを結合し、電子透かし用の固有情報１８ｅを得て、電子透かし埋め込み手段１８ｆにより、この電子透かし用の固有情報１８ｅを電子透かし情報としてチケットの背景パターンなどの背景画像データ１８ｇに埋め込む。
・図６（ｂ）に示す電子透かし情報の読み出し時においては、電子透かし読み出し手段１９ａにより、券面の電子透かし情報を読み取り、電子透かし固有情報１９ｂを得る。この電子透かし固有情報１９ｂを分解手段１９ｃにより、固有情報１９ｄと固有ＭＤ１９ｅに分解する。固有情報１９ｄから、鍵付き又は鍵なしハッシュ関数１９ｆにより、固有ＭＤ１９ｇを算出する。それから、算出された固有ＭＤ１９ｇと、電子透かし固有情報１９ｂから抽出した固有ＭＤ１９ｅとを照合手段１９ｈにより照合する。これにより、復号した固有情報に誤りがないかを確認し、情報の不正な改ざんを防ぐことができる。
【００４９】
［第１の実施の形態］
図７は、本発明によるチケット出力装置の基本的な構成例を示すブロック図であり、電子透かし情報の暗号化手段を使用しない場合の例を示している。
【００５０】
図７に示す各手段は以下の機能を有している。
・電子透かし入り画像データ生成手段２１は、例えば、「発券者秘密情報」、「購入者コード」、「販売者コード」、「予約番号」などのチケット発券情報を電子透かし情報として、チケットに印刷する背景画像データ中に埋め込んだ電子透かし入り背景画像データを生成する手段である。
・文字画像生成手段２２は、チケットの券面に印刷する文字画像データを生成する手段である。この文字情報としては、「イベント内容」を特定する情報や、「購入者コード」、「販売者コード」、「予約番号」などのチケット発券情報を使用する。また、券面に印刷される文字や画像には、バーコードや２次元バーコードが含まれる場合がある。
・印刷出力データ生成手段２３は、実際に印刷する印刷出力データを生成する手段であり、電子透かし入り背景画像データと、文字画像データとを合成して、印刷出力データを生成する。
・印刷手段２４は、実際にプリンタなどでこの生成された印刷出力データを印刷する手段である。
図７に示した例は、チケットなどの券面に、電子透かし情報を埋め込んだ地紋や背景パターンなどの背景画像データと、固有情報（例えば、チケット発券情報）などの文字画像データの両方を印刷する例であるが、この文字画像データの印刷は省略してもよく、電子透かし入り画像データだけを印刷するようにしてもよい。
【００５１】
また、図８は、図７に示すチケット出力装置２０の動作を説明するための処理フローであり、
（１）電子透かし入り画像データ生成手段２１により、電子透かし情報としての「発券者秘密情報３０」、「購入者コード３１」、「販売者コード３２」及び「予約番号３３」のチケット発券情報（固有情報）と、背景画像としての「背景画像データ３４」の情報から、電子透かし入り背景画像データ３５を生成する（ステップＳ１１）。
（２）また、文字画像生成手段２２により、チケット発券情報である「購入者コード３１」、「販売者コード３２」及び「予約番号３３」の情報と、同じくチケット発券情報である「その他の券面印字データ３６」の情報から、文字画像データ３７を生成する（ステップＳ１２）。なお、券面に印刷される文字や画像には、バーコードや２次元バーコードが含まれる場合がある。
（３）印刷出力データ生成手段２３により、電子透かし入り背景画像データ３５と文字画像データ３７から、実際に印刷する印刷出力データ３８を生成する（ステップＳ１３）。
（４）印刷手段２４により、印刷出力データ３８に基づいて電子透かし情報入りチケット３９を印刷する（ステップＳ１４）。
このようにして作成された電子透かし情報入りチケット３９は、例えば、野球場のチケット受付ゲートなどに設備された電子透かし検出装置で読み取られ、読み取られた電子透かし情報と、チケットの券面に印刷された文字情報とが係員により目視確認される。
【００５２】
また、図９は、図８に示すチケット出力装置の具体的な構成例を示すブロック図であり、本発明に直接関係する部分についてのみ示したものである。図９において、５０はチケットの発券を指示するチケット予約センタ、５０ａはチケット予約センタのサーバ、５１は野球場などのチケット受付ゲート、５１ａはチケット受付ゲートの電子透かし検出装置、５２はネットワーク、６０はコンビニエンスストア、６１はチケット出力装置、６２はネットワークとチケット出力装置６１を接続する通信用インタフェース、６３はチケット出力装置６１の全体を制御する制御部、６４はデータベース、７０は処理プログラム部を示している。
【００５３】
データベース６４には、「発券者秘密情報３０」、「購入者コード３１」、「販売者コード３２」、「予約番号３３」、「その他の券面印字データ３６」、「日付」などのチケット発券情報、及び「背景画像データ３４」が記録されている。
【００５４】
また、処理プログラム部７０には、以下の処理部が含まれている。
・電子透かし入り画像データ生成処理部７１は、「発券者秘密情報３０」、「購入者コード３１」、「販売者コード３２」、「予約番号３３」、「その他の券面印字データ３６」などのチケット発券情報から電子透かし情報を生成して「背景画像データ３４」に埋め込み、電子透かし入り背景画像データ３５を生成するための処理部である。
・文字画像生成処理部７２は、チケットの券面に印刷する文字や画像からなる文字画像データ３７を生成する処理部である。この文字や画像としては「購入者コード３１」、「販売者コード３２」、「予約番号３３」などの情報や、イベント内容を特定するための「その他券面印字データ」などが使用される。
・印刷出力データ生成処理部７３は、実際に印刷する印刷出力データを生成する処理部であり、電子透かし入り背景画像データ３５と、文字画像データ３７とを合成して、印刷出力データ３８を生成する。
・印刷処理部７４は、実際に市販のプリンタなどで印刷出力データ３８に基づいて、チケット３９を印刷する処理部である。
【００５５】
なお、この処理プログラム部７０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、このチケット出力装置６１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００５６】
また、図１０は、電子透かし検出装置８０の構成例を示すブロック図であり、図７から図９に示したチケット出力装置で発券されたチケットを読み取るための装置であり、本発明に直接関係する部分についてのみ示したものである。
図１０に示す各手段は以下の機能を有している。
・画像スキャン手段８１は、例えば、ディジタルカメラやハンディスキャナなどであり、チケットなどの券面に印刷された文字や画像の情報を読み取りディジタル化して、ディジタル画像データを得る手段である。
・電子透かし情報検出手段８２は、読み取ったディジタル化されたディジタル画像データから、電子透かし情報を抽出する手段である。
・文字検出手段８３は、画像スキャン手段８１により読み取られた券面をディジタル化したディジタル画像データから、文字情報を検出する手段である。
・発券者秘密情報記憶手段８４は、チケットなどの発行者から予め通知された「発券者秘密情報」を所定の記憶手段（メモリやハードディスクなど）に記憶しておくための手段である。
・データ照合手段８５は、文字検出手段８３から検出された文字情報と、電子透かし情報検出手段８２から検出した電子透かし情報の対応するデータを照合すると共に、電子透かし情報中の「発券者秘密情報」と、発券者秘密情報記憶手段８４に記憶された「発券者秘密情報」とを照合する手段である。この手段により、不正が行われたかどうかを確認することができる。
・表示手段８６は、ＣＲＴや液晶表示装置などであり、データ照合手段８５における照合結果を表示するための手段である。
【００５７】
また、図１１は、図１０に示す電子透かし検出装置８０の動作を説明するための処理フローであり、以下、その処理の流れについて説明する。
（１）画像スキャン手段８１により、電子透かし入りチケット９０をスキャンしディジタル化された券面画像データ９１を得る（ステップＳ２１）。また、券面画像データ９１から、電子透かし情報を検出し（ステップＳ２２）、また文字情報を検出する（ステップＳ２３）。電子透かし情報としては、例えば、「発券者秘密情報９２」、「購入者コード９３」、「販売者コード９４」、「予約番号９５」などが得られ、文字情報としては、例えば、「購入者コード９３」、「販売者コード９４」、「予約番号９５」、及び「その他の券面印字データ９６」などが得られる。
（２）データ照合手段８５により、文字情報と、電子透かし情報の対応するデータを照合すると共に、電子透かし情報の「発券者秘密情報９２」と、発券者秘密情報記憶手段８４により所定の記憶手段に記憶された「発券者秘密情報」とを照合する（ステップＳ２４）。
（３）照合結果を、ＣＲＴや液晶表示装置などの表示手段８０により出力表示する（ステップＳ２５）
【００５８】
また、図１２は、図１０に示した電子透かし検出装置の具体的な構成例を示すブロック図であり、本発明に直接関係する部分についてのみ示したものである。図１２において、１０１はチケットの発券を指示するチケット予約センタ、１０１ａはチケット予約センタのサーバ、１０２はコンビニエンスストア、１０２ａはコンビニエンスストアのチケット出力装置、１０３はネットワーク、１１０は野球場などのチケット受付ゲート、１１１は電子透かし検出装置、１１２はネットワーク１０３とチケット出力装置１１１を接続する通信用インタフェース、１１３は電子透かし検出装置の全体を統括制御する制御部、１１４はデータベース、１２０は処理プログラム部を示している。
【００５９】
また、処理プログラム部１２０には、以下の処理部が含まれる。
・画像スキャン処理部１２１は、例えば、ディジタルカメラやハンディスキャナなどであり、チケットなどの券面に印刷された文字や画像の情報を読み取りディジタル化して、ディジタル画像データを得る処理部である。
・電子透かし情報検出処理部１２２は、画像スキャン処理部１２１により読み取られたディジタル画像データから電子透かし情報を抽出するための処理を行う。
・文字検出処理部１２３は、画像スキャン処理部１２１により読み取られたディジタル画像データから文字情報を抽出するための処理部である。
・発券者秘密情報記憶処理部１２４は、チケット予約センタ１０１のサーバ１０１ａなどのチケット発行指示者から予め通知された「発券者秘密情報」をデータベース１１４などに記憶しておく処理部である。
・データ照合処理部１２５は、文字情報と、電子透かし情報の対応するデータを照合するための処理部である。
・表示処理部１２６は、ＣＲＴや液晶表示装置などであり、データ照合処理部１２５における照合結果を表示するための処理部である。
【００６０】
なお、この処理プログラム部１２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この電子透かし検出装置１１１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００６１】
［第２の実施の形態］
また、図１３は、電子透かし情報の暗号化機能を装備したチケット出力装置１３０の構成例を示すブロック図であり、電子透かし情報に対して暗号化手段を使用する場合の例を示している。
【００６２】
図１３に示す各手段は以下の機能を有している。
・データ結合手段１３１は、「発券者秘密情報」、「購入者コード」、「販売者コード」、「予約番号」などのチケット発券情報をチケットの「固有情報」として結合する手段である。
・暗号化手段１３２は、固有情報を暗号鍵を用いて暗号化する手段である。暗号化アルゴリズムとしては、例えば、図４に示した「鍵付きメッセージダイジェスト（ＭＤ）を利用した暗号化の例」を基本にした「共通鍵暗号ＣＢＣモード」を使用し、固有情報のメッセージダイジェスト（ＭＤ）を生成し、これを暗号化された固有情報（図４の情報（ＭＤ）１５ｄに該当する）とする。なお、本例では、固有情報からメッセージダイジェスト（ＭＤ）を求めて、暗号化固有情報として使用しているが、特にこれに限らず、図３で説明した一般的な「暗号鍵」を用いた暗号化方法も使用することができる。また、メッセージダイジェスト（ＭＤ）を求めるための「ハッシュ関数」には「鍵付きのハッシュ関数」の他「鍵なしハッシュ関数」のどちらも使用することもできる。
・電子透かし入り画像データ生成手段１３３は、暗号化された固有情報（メッセージダイジェスト（ＭＤ））を電子透かし情報として、チケットに印刷する背景画像データ中に埋め込んだ電子透かし入り背景画像データを生成するための手段である。
・文字画像生成手段１３４は、チケットの券面に印刷する文字や画像からなる文字画像データを生成するための手段である。この場合、文字の情報としては、「イベント内容」を特定する情報や、「購入者コード」、「販売者コード」、「予約番号」などのチケット発券情報を使用する。また、券面に印刷される文字や画像には、バーコードや２次元バーコードが含まれる場合がある。
・印刷出力データ生成手段１３５は、実際に印刷する印刷出力データを生成するための手段であり、電子透かし入り背景画像データと、文字画像データとを合成して、印刷出力データを生成する。
・印刷手段１３６は、実際に市販のプリンタなどで印刷出力データを印刷するための手段である。
図１３に示した例は、チケットなどの券面に、電子透かし情報を埋め込んだ地紋や背景パターンと、チケット発券情報などの文字画像データの両方を印刷する例であるが、この文字画像データの印刷を省略し、電子透かし入り背景画像データだけを印刷するようにしてもよい。
【００６３】
また、図１４は、図１３に示すチケット出力装置１３０の動作を説明するための処理フローであり、以下、その処理の流れについて説明する。
（１）データ結合手段１３１により、「発券者秘密情報１４１」、「購入者コード１４２」、「販売者コード１４３」、「予約番号１４４」などのチケット発券情報を結合して固有情報１４６を生成する（ステップＳ３１）。
（２）また、暗号化手段１３２により、固有情報１４６を、暗号化し暗号化された固有情報（メッセージダイジェスト（ＭＤ））１４８を生成する（ステップＳ３２）。
（３）電子透かし入り画像データ生成手段１３３により、暗号化された固有情報（ＭＤ）１４８と背景画像データ１４９から、暗号化された固有情報（ＭＤ）１４８を電子透かし情報として埋め込んだ電子透かし入り背景画像データ１５０を生成する（ステップＳ３３）。
（４）また、文字画像生成手段１３４により、「購入者コード１４２」、「販売者コード１４３」、「予約番号１４４」、及び「その他の券面印字データ１４５」などのチケット発券情報から、文字画像データ１５１を生成する（ステップＳ３４）。
（５）印刷出力データ生成手段１３５により、電子透かし入り背景画像データ１５０と文字画像データ１５１から、実際に印刷する印刷出力データ１５２を生成する（ステップＳ３５）。
（６）印刷手段１３６により、印刷出力データ１５２に基づいて、電子透かし入りチケット１５３を印刷する（ステップＳ３６）。
【００６４】
また、図１５は、図１３に示した暗号化機能を有するチケット出力装置１３０の具体的な構成例を示すブロック図であり、本発明に直接関係する部分についてのみ示したものである。図１５において、１６１は発券を指示するチケット予約センタ、１６１ａはチケット予約センタのサーバ、１６２は野球場などのチケット受付ゲート、１６２ａはチケット受付ゲートの電子透かし検出装置、１６３はネットワーク、１７０はコンビニエンスストア、１７１はチケット出力装置、１７２はネットワーク１６３とチケット出力装置１７０を接続する通信用インタフェース、１７３はチケット出力装置の全体を統括制御する制御部、１７４はデータベース、１８０は処理プログラム部を示している。また、データベース１７４には、「発券者秘密情報」、「購入者コード」、「販売者コード」、「予約番号」、「その他の券面印字データ」などのチケット発券情報、及び「暗号鍵データ」が記録されている。
【００６５】
また、処理プログラム部１８０には、以下の処理部が含まれる。
・データ結合処理部１８１は、「発券者秘密情報１４１」、「購入者コード１４２」、「販売者コード１４３」、「予約番号１４４」などのチケット発券情報のデータを結合し。固有情報１４６を生成する処理部である。
・暗号化処理部１８２は、固有情報１４６から、暗号鍵データ１４７とハッシュ関数を用いてメッセージダイジェスト（ＭＤ）を求め、該メッセージダイジェスト（ＭＤ）を暗号化された固有情報１４８とする処理部である。本例では、メッセージダイジェスト（ＭＤ）を求めるために、「共通鍵暗号ＣＢＣモード」を使用しているが、暗号化方法は特にこれに限定されるものではなく、図３に示した一般的な暗号化方法も使用できる。
・電子透かし入り画像データ生成処理部１８３は、暗号化された固有情報１４８を電子透かし情報として、チケットに印刷する背景画像データ１４９中に埋め込んだ電子透かし入り背景画像データ１５０を生成するための処理部である。
・文字画像生成処理部１８４は、チケットの券面に印刷する文字や画像から文字画像データ１５１を生成する処理部である。この文字の情報としては、「購入者コード１４２」、「販売者コード１４３」、「予約番号１４４」や、イベント内容を特定するための「その他券面印字データ１４５」などのチケット発券情報を使用する。
・印刷出力データ生成処理部１８５は、実際に印刷する印刷出力データを生成する処理部であり、電子透かし入り背景画像データ１５０と、文字画像データ１５１とを合成し、印刷出力データ１５２を生成する処理を行う。
・印刷処理部１８６は、市販のプリンタなどで印刷出力データ１５２に基づいて、電子透かし入りチケットを印刷する処理部である。
【００６６】
なお、この処理プログラム部１８０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、このチケット出力装置１７１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００６７】
また、図１６は、電子透かし情報の暗号化に対応した電子透かし検出装置の構成例を示すブロック図であり、図１３から図１５で説明したチケット出力装置で作成された電子透かし入りチケットを読み取る装置の例を示している。
【００６８】
図１６に示す各手段は以下の機能を有している。
・画像スキャン手段１９１は、例えば、ディジタルカメラやハンディスキャナなどであり、チケットなどの券面に印刷された文字や画像の情報を読み取りディジタル化して、ディジタル画像データするための手段である。
・電子透かし情報検出手段１９２は、読み取ったディジタル画像データから、電子透かし情報を抽出する手段である。
・文字検出手段１９３は、画像スキャン手段１９１により読み取られた券面のディジタル画像データから、文字情報を検出する手段である。文字検出手段１９３で読み取られる情報は、「購入者コード」、「販売者コード」、「予約番号」、「その他の券面印字データ」の文字情報などである。
・データ結合手段１９４は、文字検出手段１９３で読み取られた文字情報である「購入者コード」、「販売者コード」、「予約番号」、「その他の券面印字データ」、及び予め発券者秘密情報記憶手段１９８により記録されている「発券者秘密情報」のそれぞれのデータを結合し固有情報を生成するための手段である。
・暗号鍵情報記憶手段１９５は、チケット発行者から通知された暗号鍵データを記憶しておくための手段である。
・暗号化手段１９６は、 データ結合手段１９４により結合された固有情報を、暗号鍵データを用いて暗号化する手段である。なお、暗号化アルゴリズムとしては、図１３から図１５に示したチケット出力装置で用いた暗号化アルゴリズムと同じものが使用される。すなわち、図４に示した「鍵付きメッセージダイジェスト（ＭＤ）を利用した暗号化方法」を基本にした「共通鍵暗号ＣＢＣモード」を使用し、固有情報のメッセージダイジェスト（ＭＤ）を生成し、これを暗号化された固有情報とする。
・データ照合手段１９７は、暗号化手段１９６から得られた暗号化された固有情報と、電子透かし情報検出手段１９２から得られた電子透かし情報中の暗号化された固有情報とを照合する手段である。
・表示手段１９９は、ＣＲＴや液晶表示装置などであり、データ照合手段１９７における照合結果を表示するための手段である。
【００６９】
また、図１７は、図１６に示す電子透かし検出装置の動作を説明するための処理フローであり、以下、その処理の流れについて説明する。
（１）画像スキャン手段１９１により、電子透かし入りチケット２０６の券面をスキャンしディジタル画像データ２０７を得る（ステップＳ４１）。
（２）電子透かし情報検出手段１９２により、ディジタル画像データ２０７から暗号化された固有情報(メッセージダイジェスト（ＭＤ））２０８を抽出する（ステップＳ４２）。
（３）文字検出手段１９３により、ディジタル画像データ２０７から文字の情報を検出する（ステップＳ４３）。その結果として、「購入者コード２０１」、「販売者コード２０２」、「予約番号２０３」、及び「その他の券面印字データ２０４」の文字の情報が得られる。
（４）データ結合手段１９４により、文字検出手段１９３から得られた「購入者コード２０１」、「販売者コード２０２」、「予約番号２０３」、「その他の券面印字データ２０４」、及び「発券者秘密情報２０５」のデータを結合し、固有情報２０９を生成する（ステップＳ４４）。
（５）暗号化手段１９６と、暗号鍵記憶手段１９５に記憶された暗号鍵データとハッシュ関数とを使用して、固有情報２０９を暗号化して、暗号化された固有情報（メッセージダイジェスト（ＭＤ））２１１を生成する（ステップＳ４５）。なお、暗号化アルゴリズムとしては、図１２から図１４に示したチケット出力装置で用いた暗号化アルゴリズムと同じものが使用される。すなわち、図４に示した「鍵付きメッセージダイジェスト（ＭＤ）を利用した暗号化」の応用例である「共通鍵暗号ＣＢＣモード」を使用し、固有情報のメッセージダイジェスト（ＭＤ）を生成し、これを暗号化された固有情報（メッセージダイジェスト（ＭＤ））とする。
（６）データ照合手段１９７により、電子透かし情報検出手段１９２で抽出した暗号化された固有情報（メッセージダイジェスト（ＭＤ））２０８と、暗号化手段１９６で生成した暗号化された固有情報（メッセージダイジェスト（ＭＤ））２１１とを照合する（ステップＳ４６）。
（７）表示手段１９９により、照合結果を、ＣＲＴや液晶表示装置などに出力表示する（ステップＳ４７）
【００７０】
また、図１８は、図１６に示した電子透かし検出装置の具体的な構成例を示すブロック図であり、本発明に直接関係する部分についてのみ示したものである。図１８において、２２１はチケットの発券を指示するチケット予約センタ、２２１ａはチケット予約センタのサーバ、２２２はコンビニエンスストア、２２２ａはコンビニエンスストアのチケット出力装置、２２３はネットワーク、２４０は野球場などのチケット受付ゲート、２４１は電子透かし検出装置、２４２はネットワーク２２３とチケット出力装置２４１を接続する通信用インタフェース、２４３は電子透かし検出装置の全体を統括制御する制御部、２４４はデータベース、２５０は処理プログラム部を示している。
【００７１】
データベース２４４には、暗号鍵データ、発券者秘密情報などが記録される。
また、処理プログラム部２５０には、以下の処理部が含まれる。
・画像スキャン処理部２５１は、例えば、ディジタルカメラやハンディスキャナなどであり、チケットなどの券面に印刷された文字や画像の情報を読み取りディジタルとして、ディジタル画像データとする処理部である。
・電子透かし情報検出処理部２５２は、画像スキャン処理部２５１により読み取られたディジタル画像データから電子透かし情報を抽出するための処理を行う。
・文字検出処理部２５３は、画像スキャン処理部２５１により読み取られたディジタル画像データから文字情報を抽出するための処理部である。
・発券者秘密情報記憶処理部２５４は、チケットやカードなどの発行者から予め通知された「発券者秘密情報」をデータベース２４４などの記憶手段に記憶しておく処理部である。
・データ結合処理部２５５は、文字検出処理部２５３などから得られる「発券者秘密情報」、「購入者コード」、「販売者コード」、「予約番号」などのデータを固有情報として結合する処理部である。
・暗号化処理部２５６は、ハッシュ関数とデータベース２４４に記憶された暗号鍵データを使用して、固有情報２０９を暗号化して、暗号化された固有情報（メッセージダイジェスト（ＭＤ））２１１を生成する。なお、暗号化アルゴリズムとしては、図１４に示したチケット出力装置で用いた暗号化アルゴリズムと同じものが使用される。すなわち、図４に示した「鍵付きメッセージダイジェスト（ＭＤ）を利用した暗号化の例」を基本とする「共通鍵暗号ＣＢＣモード」を使用し、固有情報のメッセージダイジェスト（ＭＤ）を生成し、これを暗号化された固有情報とする。
・データ照合処理部２５７は、電子透かし情報検出処理部２５２で抽出した暗号化された固有情報（メッセージダイジェスト（ＭＤ））２０８と、暗号化処理部２５６で生成した暗号化された固有情報（メッセージダイジェスト（ＭＤ））２１１とを照合する処理を行う。
・表示処理部２５８は、ＣＲＴや液晶表示装置などであり、データ照合処理部２５７における照合結果を表示するための処理部である。
【００７２】
なお、この処理プログラム部２５０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この電子透かし検出装置２４１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００７３】
［第３の実施の形態］
また、図１９は、パスフレーズから生成した暗号鍵データを用いたチケット出力装置２６０の構成例を示すブロック図であり、パスフレーズを用いて暗号鍵データを生成する機能を設備したチケット出力装置の例を示している。
・パスフレーズ入力手段２６１は、チケットを購入するユーザが暗号鍵データを生成するための基になるパスフレーズを入力するための手段である。
・暗号鍵生成手段２６２は、ユーザが入力したパスフレーズから暗号鍵データを生成するための手段である。
・データ結合手段２６３は、「発券者秘密情報」、「購入者コード」、「販売者コード」、「予約番号」などのデータを結合して固有情報を生成するための手段である。
・暗号化手段２６４は、固有情報を暗号鍵生成手段２６２により生成した暗号鍵データと、ハッシュ関数を用いて暗号化する手段である。暗号化アルゴリズムとしては、例えば、図４に示した「鍵付きメッセージダイジェスト（ＭＤ）を利用した暗号化の例」を基本にした「共通鍵暗号ＣＢＣモード」を使用し、固有情報のメッセージダイジェスト（ＭＤ）を生成し、これを暗号化された固有情報（メッセージダイジェスト（ＭＤ））とする。なお、本例では、固有情報からメッセージダイジェスト（ＭＤ）を求めて、暗号化された固有情報（メッセージダイジェスト（ＭＤ））として使用しているが、特にこれに限らず、図３で説明した一般的な「暗号鍵」を用いた暗号化方法も使用することができる。また、メッセージダイジェスト（ＭＤ）を求めるための「ハッシュ関数」には「鍵付きのハッシュ関数」の他「鍵なしハッシュ関数」のどちらも使用することもできる。
・電子透かし入り画像データ生成手段２６５は、暗号化された固有情報（メッセージダイジェスト（ＭＤ））を電子透かし情報として、チケットに印刷する背景画像データ中に埋め込んだ電子透かし入り背景画像データを生成するための手段である。
・文字画像生成手段２６６は、チケットの券面に印刷する文字や画像からなる文字画像データを生成する手段である。この文字の情報としては、「イベント内容」を特定する情報や、「購入者コード」、「販売者コード」、「予約番号」などのチケット発券情報を使用する。また、券面に印刷される文字や画像には、バーコードや２次元バーコードが含まれる場合がある。
・印刷出力データ生成手段２６７は、実際に印刷する印刷出力データを生成する手段であり、電子透かし入り背景画像データと、文字画像データとを合成し、印刷出力データを生成する。
・印刷手段２６８は、プリンタなどで印刷出力データに基づいてチケットなどの券面に文字や画像を印刷するための手段である。
図１９に示した例は、チケットなどの券面に、電子透かし情報を埋め込んだ地紋や背景パターンと、チケット情報などの文字画像データの両方を印刷する例であるが、この文字画像データの印刷は省略してもよく、電子透かし入り背景画像データだけを印刷するようにしてもよい。
【００７４】
また、図２０は、図１９に示すチケット出力装置２６０の動作を説明するための処理フローであり、以下、図２０を基に、チケット出力装置２６０の動作の流れについて説明する。
（１）パスフレーズ入力手段２６１及び暗号鍵生成手段２６２により、チケット等を購入するユーザから入力されたパスフレーズ２８７から暗号鍵データ２８８を生成する（ステップＳ５１）。
（２）一方、データ結合手段２６３により、「発券者秘密情報２８１」、「購入者コード２８２」、「販売者コード２８３」、「予約番号２８４」などのデータを結合して固有情報２８６を生成する（ステップＳ５２）。また、暗号化手段２６４により、暗号鍵データ２８８と、ハッシュ関数とを使用して、固有情報２８６を暗号化し、暗号化された固有情報（メッセージダイジェスト（ＭＤ））２８９を生成する（ステップＳ５３）。なお、本例では、この暗号化アルゴリズムに、「共通鍵暗号ＣＢＣモード」を使用しているが、特にこれに限定されない。
（３）電子透かし入り画像データ生成手段２６５により、暗号化された固有情報（メッセージダイジェスト（ＭＤ））２８９を電子透かし情報として背景画像データ２９０に埋め込み、電子透かし入り背景画像データ２９１を生成する（ステップＳ５４）。
（４）また、文字画像生成手段２６６により、「購入者コード２８２」、「販売者コード２８３」、「予約番号２８４」、及び「その他の券面印字データ２８５」のチケット発券情報から、文字画像データ２９２を生成する（ステップＳ５５）。
（５）印刷出力データ生成手段２６７により、電子透かし入り背景画像データ２９１と文字画像データ２９２を合成して、印刷出力データ２９３を生成する（ステップＳ５６）。
（６）印刷手段２６８により、印刷出力データ２９３を印刷し、電子透かし入りチケット２９４を作成する（ステップＳ５７）。
【００７５】
また、図２１は、図１９に示すチケット出力装置２６０の具体的な構成例を示すブロック図であり、本発明に直接関係する部分についてのみ示したものである。図２１において、３０１はチケットの発券を指示するチケット予約センタ、３０１ａはチケット予約センタのサーバ、３０２は野球場などのチケット受付ゲート、３０２ａはチケット受付ゲートの電子透かし検出装置、３０３はネットワーク、３１０はコンビニエンスストア、３１１はチケット出力装置、３１２はネットワーク３０３とチケット出力装置３１１を接続する通信用インタフェース、３１３はチケット出力装置３１１の全体を制御する制御部、３１４はデータベース、３２０は処理プログラム部を示している。
【００７６】
データベース３１４には、「発券者秘密情報」、「購入者コード」、「販売者コード」、「予約番号」、「その他の券面印字データ」などのチケット発券情報、及びパスフレーズから生成した「暗号鍵データ」が記録されている。
【００７７】
また、処理プログラム部３２０には、以下の処理部が含まれる。
・パスフレーズ入力処理部３２１は、暗号鍵データを生成するための基になるパスフレーズをユーザに入力させるための処理部である。
・暗号鍵生成処理部３２２は、ユーザが入力したパスフレーズから暗号鍵データを生成するための処理部である。この処理部は、生成した暗号鍵データをデータベース３１４に記憶させる。
・データ結合処理部３２３は、「発券者秘密情報」、「購入者コード」、「販売者コード」、「予約番号」などのデータを結合して固有情報２８６を生成する処理部である。
・暗号化処理部３２４は、暗号鍵データ２８８とハッシュ関数を用いて、固有情報２８６のメッセージダイジェスト（ＭＤ）を求め、該メッセージダイジェスト（ＭＤ）を暗号化された固有情報（メッセージダイジェスト（ＭＤ））２８９とする。本例では、メッセージダイジェスト（ＭＤ）を求めるために、「共通鍵暗号ＣＢＣモード」を使用しているが、暗号化方法は特にこれに限定されるものではなく、図３に示した一般的な暗号化方法も使用できる。
・電子透かし入り画像データ生成処理部３２５は、暗号化された固有情報（メッセージダイジェスト（ＭＤ））２８９を電子透かし情報として背景画像データ２９０中に埋め込んだ電子透かし入り背景画像データ２９１を生成するための処理部である。
・文字画像生成処理部３２６は、チケットの券面に印刷する文字や画像から文字画像データ２９２を生成する処理部である。この文字の情報としては、「購入者コード」、「販売者コード」、「予約番号」の情報や、イベント内容を特定する「その他券面印字データ」などの情報を使用する。
・印刷出力データ生成処理部３２７は、券面に印刷する印刷出力データ２９３を生成する処理部であり、電子透かし入り背景画像データ２９１と、文字画像データ２９２とを合成して、印刷出力データ２９３を生成する処理を行う。
・印刷処理部３２８は、市販のプリンタなどでチケットに印刷出力データ２９３を印刷する処理を行う。
【００７８】
なお、この処理プログラム部３２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、このチケット出力装置３１１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００７９】
また、図２２は、パスフレーズ暗号化対応の電子透かし検出装置３４０の構成例を示すブロック図であり、パスフレーズからの暗号鍵生成機能を装備した電子透かし検出装置の例である。
・画像スキャン手段３４１は、例えば、ディジタルカメラやハンディスキャナなどであり、チケットなどの券面に印刷された文字や画像を読み取りディジタル化して、ディジタル画像データを得る手段である。
・電子透かし情報検出手段３４２は、画像スキャン手段３４１により読み取られたディジタル画像データから電子透かし情報を抽出するための手段である。
・文字検出手段３４３は、画像スキャン手段３４１により読み取られたディジタル画像データから文字情報を抽出するための手段である。
・発券者秘密情報記憶手段３４４は、チケットやカードなどの発行者から予め通知された「発券者秘密情報」を記憶手段（例えば、メモリやハードディスクなど）に記憶しておく手段である。
・データ結合手段３４５は、「発券者秘密情報」、「購入者コード」、「販売者コード」、「予約番号」などのデータを結合して固有情報を生成するための手段である。
・パスフレーズ入力手段３４６は、暗号鍵データを生成するための基になるパスフレーズをチケットなどを購入するユーザが入力するための手段である。
・暗号鍵生成手段３４７は、ユーザが入力したパスフレーズから暗号鍵データを生成するための手段である。
・暗号化手段３４８は、 データ結合手段３４５により結合された固有情報を、暗号鍵データと、ハッシュ関数とを用いて暗号化する手段である。なお、暗号化アルゴリズムとしては、図１９から図２１に示したチケット出力装置で用いた暗号化アルゴリズムと同じものが使用される。すなわち、図４に示した「鍵付きメッセージダイジェスト（ＭＤ）を利用した暗号化の例」を基本とする「共通鍵暗号ＣＢＣモード」を使用し、固有情報のメッセージダイジェスト（ＭＤ）を生成し、このメッセージダイジェスト（ＭＤ）を暗号化された固有情報（メッセージダイジェスト（ＭＤ））とする。
・データ照合手段３４９は、暗号化手段３４８により得られたされた固有情報（メッセージダイジェスト（ＭＤ））とと、電子透かし検出手段３４２から得られた電子透かし情報中のされた固有情報（メッセージダイジェスト（ＭＤ））とを照合するための手段である。
・表示手段３５０は、ＣＲＴや液晶表示装置などであり、データ照合手段３４９における照合結果を表示するための手段である。
【００８０】
また、図２３は、図２２に示す電子透かし検出装置３４０の動作を説明するための処理フローであり、以下、図２３を基に、チケット出力装置３４０のおける処理の流れについて説明する。
（１）画像スキャン手段３４１により、電子透かし入りチケット３７６の券面をスキャンしディジタル化して、ディジタル画像データ３７７として得る（ステップＳ６１）。また、電子透かし情報検出手段３４２により、ディジタル画像データ３７７から、電子透かし情報を検出し、された固有情報（メッセージダイジェスト（ＭＤ））３７８を得る（ステップＳ６２）。
【００８１】
（２）文字検出手段３４３により、ディジタル画像データ３７７中の文字情報を検出し、「購入者コード３７１」、「販売者コード３７２」、「予約番号３７３」、及び「その他の券面印字データ３７４」などを文字情報として得る（ステップＳ６３）。
（３）また、データ結合手段３４５により、検出された文字情報（「購入者コード３７１」、「販売者コード３７２」、「予約番号３７３」、及び「その他の券面印字データ３７４」）と、予め所定の記憶手段に記憶されている発券者秘密情報３７５を結合し、固有情報３７９を生成する（ステップＳ６４）。
（４）一方、パスフレーズ入力手段３４６と暗号鍵生成手段３４７により、ユーザが入力したパスフレーズ３８１から、暗号鍵データ３８２を生成する（ステップＳ６５）。
（５）暗号化手段３４８と、暗号鍵生成手段３４７で生成された暗号鍵データ３８２と、ハッシュ関数とを使用して、固有情報３７９を暗号化して、暗号化された固有情報（メッセージダイジェスト（ＭＤ））３８０を生成する（ステップＳ６６）。なお、暗号化アルゴリズムとしては、図１９から図２１に示したチケット出力装置で用いた暗号化アルゴリズムと同じものが使用される。すなわち、図４に示した「鍵付きメッセージダイジェスト（ＭＤ）を利用した暗号化の例」を基本とする「共通鍵暗号ＣＢＣモード」を使用し、固有情報のメッセージダイジェスト（ＭＤ）を生成し、これをされた固有情報（メッセージダイジェスト（ＭＤ））３８０とする。
（６）また、データ照合手段３４５により、文字情報などから生成したされた固有情報（メッセージダイジェスト（ＭＤ））３８０と、電子透かし情報検出手段３４２により券面画像データ３７７から得られたされた固有情報（メッセージダイジェスト（ＭＤ））３７８とを照合する（ステップＳ６７）。
（７）また、表示手段３５０により、された固有情報（メッセージダイジェスト（ＭＤ））３７８、３８０の照合結果を、ＣＲＴや液晶表示装置などの表示手段３５０により表示する。
【００８２】
また、図２４は、図２２に示す電子透かし検出装置３４０の具体的な構成例を示すブロック図であり、本発明に直接関係する部分についてのみ示したものである。図２４において、４０１はチケットの発券を指示するチケット予約センタ、４０１ａはチケット予約センタのサーバ、４０２はコンビニエンスストア、４０２ａはコンビニエンスストアのチケット出力装置、４０３はネットワーク、４１０は野球場などのチケット受付ゲート、４１１は電子透かし検出装置、４１２はネットワーク４０３と電子透かし検出装置４１１を接続する通信用インタフェース、４１３はチケット検出装置４１１の全体を統括制御する制御部、４１４はデータベース、４２０は処理プログラム部を示している。データベース４１４には、「発券者秘密情報」などが記録されている。
【００８３】
また、処理プログラム部４２０には、以下の処理部が含まれている。
・画像スキャン処理部４２１は、例えば、ディジタルカメラやハンディスキャナなどであり、チケットなどの券面に印刷された文字や画像を読み取りディジタル化されたディジタル画像データ３７７を得る処理を行う。
・電子透かし情報検出処理部４２２は、画像スキャン処理部４２１により読み取られたディジタル画像データ３７７から電子透かし情報を抽出するための処理を行う。ここで抽出される電子透かし情報は、された固有情報（メッセージダイジェスト（ＭＤ））３７８である。
・文字検出処理部４２３は、画像スキャン処理部４２１により読み取られたディジタル画像データ３７７から文字情報を抽出するための処理部である。本例の場合は、「購入者コード３７１」、「販売者コード３７２」、「予約番号３７３」、「その他券面印字データ３７４」などのデータが文字情報として抽出される。
・発券者秘密情報記憶処理部４２４は、チケットやカードなどの発行者から予め通知された「発券者秘密情報」をデータベース４１４に記憶しておくための処理部である。
・データ結合処理部４２５は、「発券者秘密情報３７５」、「購入者コード３７１」、「販売者コード３７２」、「予約番号３７３」などのデータを結合して、固有情報３７９を生成する処理部である。
・パスフレーズ入力処理部４２６は、暗号鍵データ３８２を生成するための基になるパスフレーズ３８１をユーザに入力させるための処理部である。
・暗号鍵生成処理部４２７は、ユーザが入力したパスフレーズ３８１から暗号鍵データ３８２を生成するための処理部である。
・暗号化処理部４２８は、固有情報３７９を、暗号鍵データと、ハッシュ関数とを用いて暗号化する処理部である。暗号化アルゴリズムとしては、例えば、「共通鍵暗号ＣＢＣモード」などを使用する。
・暗号化処理部４２８は、パスフレーズ３８１から生成された暗号鍵データ３８２を使用して、固有情報３７９を暗号化して、された固有情報（メッセージダイジェスト（ＭＤ））３８０を生成する。なお、暗号化アルゴリズムとしては、図２１に示したチケット出力装置３１０で用いた暗号化アルゴリズムと同じものが使用される。すなわち、図４に示した「鍵付きメッセージダイジェスト（ＭＤ）を利用した暗号化の例」を基本とする「共通鍵暗号ＣＢＣモード」を使用し、固有情報のメッセージダイジェスト（ＭＤ）を生成し、これをされた固有情報（メッセージダイジェスト（ＭＤ））とする。
・データ照合処理部４２９は、電子透かし情報検出処理部４２２で抽出したされた固有情報（メッセージダイジェスト（ＭＤ））３７８と、暗号化処理部４２８で生成したされた固有情報（メッセージダイジェスト（ＭＤ））３８０とを照合する処理を行う。
・表示処理部４３０は、ＣＲＴや液晶表示装置などであり、データ照合処理部４２９における照合結果を表示するための処理部である。
【００８４】
なお、この処理プログラム部４２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この電子透かし検出装置４１１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００８５】
［第４の実施の形態］
第１、第２、第３の実施の形態では、チケット類をパーソナルコンピュータ等に接続した市販のプリンタを使用して背景画像や地紋、及び券面の文字情報などを印刷する例について説明したが、第４の実施の形態では、グラビア印刷機やオフセット印刷機（単に「印刷機」ともいう）を使用して背景画像や地紋を印刷し、さらに市販のプリンタを用いて、画像や文字情報などのカード別の個別固有情報を券面に印刷する場合の例について説明する。
【００８６】
図２５は、印刷機とプリンタを併用して発行されるチケット５００の例を示す図である。チケット５００には、背景パターン５０１とコピー牽制パターン５０２が印刷されており、さらに個別のチケット情報として、文字情報５０４とデザイン画像５０３が印刷されている。なお、コピー牽制パターン５０２とは、コピー機にてチケット５００のコピーを取ると「ＣＯＰＹ」や「×」などの文字が目立ってコピーされ、コピーされたことが一目で分かるように細工されたパターンのことである。また、背景パターン５０１には印刷ロット別のロット別固有情報が電子透かし情報として埋め込まれており、個別のチケット情報の部分（文字情報５０４及びデザイン画像５０３）にはチケット別の個別固有情報が電子透かし情報として埋め込まれている。
【００８７】
また、この他に、必要に応じてバーコードや二次元コードを印刷することができ、さらに偽造防止効果を上げるために、不可視インクなどを用いて特殊印刷することもできる。
【００８８】
なお、背景パターン５０１に電子透かし情報として入れる印刷ロット別の情報を「ロット別固有情報」ともいい、印刷機でチケットなどを印刷する場合には、１枚づつ電子透かし情報を選択して印刷することはできず、ロット単位や、日付単位で電子透かし情報を選定して背景パターン５０１に埋め込む。一方、プリンタで印刷する場合には、各チケット毎に個別に電子透かし情報を選択して文字情報５０４やデザイン画像５０３などに埋め込んで印刷できるため「個別固有情報」ともいう。また、チケット別あるいはカード別の個別固有情報が電子透かし情報として挿入される部分を「前面パターン」ともいい、ロット別固有情報が電子透かし情報として埋め込まれる部分を「背景パターン」ともいう。
【００８９】
また、図２６は、印刷機とプリンタを併用して発行されるカード５１０の例を示す図である。カード５１０の場合もチケット５００（図２５）と基本的には同じである。カード５１０には、背景パターン５１１にロット別固有情報を電子透かし情報として埋め込む。また、文字５１２、写真５１３はプリンタで印刷される情報であり、カード５１０毎に個別の個別固有情報が電子透かし情報として埋め込まれている。なお、ホログラム５１４は、さらにセキュリティレベルを高めるために貼付したものである。
【００９０】
また、図２７は、カード及びチケットへの印刷機による背景印刷と、プリンタによる個別印刷の概略フローを示す図であり、紙やプラスチックなどの無地の媒体５２１に、まず、印刷機５２２により背景パターンの印刷を行う。印刷機５２２での印刷では、ロット毎に版を変え、ロット別固有情報を電子透かし情報として埋め込んだ背景パターンを印刷する。その後に、プリンタ５２３により個別固有情報の印刷を行う。なお、ロット別固有情報には、「ロット番号」や「日付」や「会社名」などが用いられ、さらに必要に応じて「発券者秘密情報」が使用される。また、個別固有情報としては、「個人番号」、「名前」、「チケット情報」、「日付」などが使用される。これにより、背景パターンにロット別固有情報が、前面パターンに個別固有情報が電子透かし情報として印刷されたカード、チケット５２４などが得られる。
【００９１】
また、図２８は、背景パターンの印刷の概略処理フローを示す図であり、無地の媒体が、無地ロール紙５３１、あるいは無地カード５３２として、印刷機５３３に供給され、ロット別固有情報が電子透かし情報として埋め込まれた背景パターンの印刷が行われる。この背景パターンが印刷された媒体は、所定のところに配送されてプリンタへセットされる。
【００９２】
また、図２９は、個別固有情報の印刷の概略処理フローを示す図である。
・まず、背景パターンが印刷された背景印刷済媒体５４１がプリンタ５４２にセットされる。
・プリンタ５４２では、最初に背景パターンに埋め込まれた電子透かし情報を読み取り、背景印刷済媒体５４１が正当なものであることを確認する。
・その後、読み取った背景パターンの電子透かし情報と個別固有情報を基に、前面パターン用の電子透かし情報を生成する。
・それから、文字や画像などの前面パターンに個別固有情報などを電子透かし情報として埋め込んで印刷を行う。前面パターンが印刷された媒体はユーザに送付または支給され、チケットやカードとして利用される。
【００９３】
また、図３０は、背景印刷機５５１の構成例を示すブロック図である。
・暗号化手段５５２は、ロット別固有情報を暗号化し暗号化固有情報を求めるための手段である。暗号化アルゴリズムとしては、例えば、図３で説明した一般的な「暗号鍵」を用いた暗号化方法を使用することができる他、図４に示した「鍵付きメッセージダイジェスト（ＭＤ）を利用した暗号化方法」を使用することもできる。またさらに、メッセージダイジェスト（ＭＤ）を求めるための「ハッシュ関数」には「鍵付きのハッシュ関数」の他「鍵なしハッシュ関数」のどちらも使用することもできる。なお、本例では、ロット別固有情報の暗号化に加えて、電子透かし情報の読み出し誤りを防ぐために、暗号化されたロット別固有情報からさらにメッセージダイジェスト（ＭＤ）を求め、該メッセージダイジェスト（ＭＤ）を固有ＭＤとして、暗号化されたロット別固有情報に付加する。
・電子透かし入り画像データ生成手段５５３は、暗号化されたロット別固有情報を、電子透かし情報として背景パターンに埋め込み、電子透かし入り背景画像データを生成する。
・印刷出力データ生成手段５５４は、ロット別固有情報を電子透かし情報として埋め込んだ電子透かし入り背景画像データや、必要な場合にはコピー牽制パターンなど、背景パターンとして印刷するデータをまとめて、印刷出力データを生成する。
・印刷手段５５５は、印刷出力データを、グラビア印刷機やオフセット印刷機などの印刷機により媒体に印刷する。なお、この印刷出力データは、ディジタルデータとして扱われることもあるし、印刷に用いる版の場合も考えられる。ここでは、ディジタルデータとして扱った場合について述べるが、版の場合も同様である。
【００９４】
なお、図３０に示した例は、カードやチケットなどの券面に、ロット別固有情報を電子透かし情報として埋め込んだ地紋や背景パターンなどの電子透かし入り背景画像データだけを印刷する例を示しているが、さらに、ロット別固有情報などを文字の情報として印刷するようにしてもよい。
【００９５】
また、図３１は、背景パターンの印刷の処理フローを示す図であり、以下、図３１を基に、背景パターンの印刷の処理の流れについて説明する。
（１）ロット別固有情報５６１（「発券者秘密情報」、「ロット番号」、「会社名」、「日付」など）を暗号化する（ステップＳ１０１）、これは、電子透かし情報が読み取られたとしても、もとの情報を復元することができないようにし、セキュリティを高めるために行う。
（２）また、ロット別固有情報５６１を暗号化した後に、さらに暗号化されたロット別固有情報からメッセージダイジェスト（ＭＤ）を求め（ステップＳ１０２）、これを固有ＭＤとして、暗号化されたロット別固有情報に追加する。これにより、復号した情報に誤りがないかを確認したり、情報の不正な改ざんを防ぐことができる。
（３）暗号化されたロット別固有情報と固有ＭＤの情報を、電子透かし情報として背景パターン５６２に埋め込み、電子透かし入り背景画像データ５６３を生成する（ステップＳ１０３）。
（４）電子透かし入り背景画像データ５６３（必要な場合にはコピー牽制パターンなどを含めて）から、印刷出力データ５６４を生成する（ステップＳ１０４）。
（５）印刷出力データ５６４を、無地の媒体に印刷し、電子透かし入り背景画像データ５６３が印刷された背景印刷済媒体５６５を生成する（ステップＳ１０５）。
【００９６】
また、図３２は、背景印刷機の具体的な構成例を示すブロック図であり、本発明に直接関係する部分についてのみ示したものである。図３２において、６０１はネットワーク、６０２はチケットの背景印刷を行う印刷会社、６１０は背景印刷機、６１１はネットワーク６０１と背景印刷機６１０を接続する通信用インタフェース、６１２は背景印刷機６１１の全体を制御する制御部、６１３はデータベース、６２０は処理プログラム部を示している。なお、データベース６１３には、ロット別固有情報として、「ロット番号」、「日付」、「会社名」などの情報が記録される他、背景パターンとして使用する情報が記録されている。
【００９７】
また、処理プログラム部６２０には、以下の処理部が含まれる。
・暗号化処理部６２１は、ロット別固有情報（「発券者秘密情報」、「ロット番号」、「会社名」、「日付」など）を暗号化する。暗号化アルゴリズムとしては、例えば、図３で説明した一般的な「暗号鍵」を用いた暗号化方法を使用することができる他、図４に示した「鍵付きメッセージダイジェスト（ＭＤ）を利用した暗号化方法」を使用することもできる。また、暗号化されたロット別固有情報からメッセージダイジェスト（ＭＤ）を求め、これを固有ＭＤとして暗号化されたロット別固有情報に付加する。
・電子透かし入り画像データ生成処理部６２２は、暗号化されたロット別情報と固有ＭＤの情報を、電子透かし情報として背景パターン５６２に埋め込み、電子透かし入り背景画像データ５６３を生成する。
・印刷出力データ生成処理部６２３は、電子透かし入り背景画像データ５６３と、必要な場合にはコピー牽制パターンなどを含めて、背景パターンとして印刷するデータをまとめた印刷出力データ５６４を生成する。
・印刷処理部６２４は、印刷出力データを、グラビア印刷機やオフセット印刷機などの印刷機により印刷する処理を行う。
【００９８】
なお、この処理プログラム部６２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この背景印刷機６１０には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００９９】
また、図３３は、プリンタなどの個別固有情報印刷装置６３１の構成例を示すブロック図である。
・画像スキャン手段６３２は、ディジタルカメラやスキャナにより、チケットやカードなどの券面をスキャンし、ディジタル化したディジタル画像データを得る。
・電子透かし情報検出手段６３３は、券面から読み取ったディジタル画像データから、電子透かし情報を抽出する。
・ロット別固有情報の確認手段６３４は、この抽出された電子透かし情報から得られるロット別固有情報と固有ＭＤを基に、情報の改ざんがないか、電子透かしが正しく読み出せたかなどを確認する。問題がなければ処理を進め、問題があればエラー処理を行う。
・暗号化手段６３５は、個別固有情報（「発券者秘密情報」、「購入者コード」、「販売者コード」、「予約番号」、「日付」、「その他券面印字データ」など）を暗号化する。暗号化アルゴリズムとしては、例えば、図３で説明した一般的な「暗号鍵」を用いた暗号化方法を使用することができる他、図４に示した「鍵付きメッセージダイジェスト（ＭＤ）を利用した暗号化方法」や「鍵なしメッセージダイジェスト（ＭＤ）を利用した暗号化方法」を使用することができる。また本例では、暗号化された個別固有情報から固有ＭＤを生成し、暗号化された個別固有情報に付加する。
・電子透かし入り画像データ生成手段６３６は、暗号化された個別固有情報と、付加された固有ＭＤを電子透かし情報として、前面パターンに埋め込んだ電子透かしを入れた前面画像データを生成する。
・印刷出力データ生成手段６３７は、電子透かしを入れた前面画像データから印刷出力データを生成するための手段である。
・印刷手段６３８は、プリンタなどで印刷出力データを印刷するための手段である。
【０１００】
なお、図３３に示した例は、ロット別固有情報が電子透かし情報として埋め込まれた電子透かし入り背景画像データが印刷された券面に、電子透かしを入れた前面画像データだけを印刷する例を示しているが、さらに、個別固有情報などの文字や画像の情報を印刷するようにしてもよい。そして、電子透かし情報と文字や画像の情報を照合するなどの方法を使用してもよい。またさらに、バーコードや、２次元バーコードを印刷するようにしてもよい。
【０１０１】
また、図３４は、個別固有情報印刷の処理フローを示す図であり、以下、図３４を基に、個別固有情報印刷の処理の流れについて説明する。
（１）印刷指示があると、まずプリンタ内にセットされているカードやチケットなどの背景印刷済媒体６５１の一枚が選択され、プリンタ内のスキャナでカードやチケットなどの背景パターンを読み取りディジタル画像データを得る（ステップＳ１１１）。
（２）背景パターンのディジタル画像データから、背景パターンに印刷された電子透かし情報を読み取り、ロット別固有情報６５２と固有ＭＤ６５３を得る（ステップＳ１１２）。
（３）ロット別固有情報６５２と固有ＭＤ６５３を基に、ロット別固有情報６５２の改ざんがないか、電子透かし情報が正しく読み出せたかなどを確認する。問題がなければ処理を進め、問題があればエラー処理を行う（ステップＳ１１３）。この確認は、ロット別固有情報６５２を、背景印刷機６１０と同一の暗号鍵と、ハッシュ関数により、メッセージダイジェスト（ＭＤ）を得て、このメッセージダイジェスト（ＭＤ）と、固有ＭＤ６５３とを確認することが行われる。
（４）一方、「発券者秘密情報」、「購入者コード」、「販売者コード」、「予約番号」、「日付」、「その他の券面印字データ」などの情報を結合し個別固有情報６５４を生成し、この個別固有情報６５４を暗号化する（ステップＳ１１４）。
（５）暗号化された個別固有情報から固有ＭＤを計算し（ステップＳ１１５）、暗号化した個別固有情報に付加する。これにより、復号した情報に誤りがないかを確認したり、情報の不正な改ざんを防ぐことができる。
（６）ステップＳ１１２で読み出したロット別固有情報６５２と、暗号化された個別固有情報と、付加された固有ＭＤとを電子透かし情報として前面パターン６５５に埋め込み、電子透かし入り前面画像データ６５６を得る（ステップＳ１１６）。ロット別固有情報６５２を同時に埋め込むことで、前面パターンだけを不正に入れ替えられたりすることを防ぐことができる。
（７）電子透かし入り前面パターン６５６を印刷するためにまとめ、印刷出力データ６５７を生成する（ステップＳ１１７）。
（８）印刷出力データ６５７を実際に印刷し、最終的な電子透かし入りチケットやカード６５８を生成する（ステップＳ１１８）。
【０１０２】
また、図３５は、個別固有情報印刷機の具体的な構成例を示すブロック図であり、本発明に直接関係する部分についてのみ示したものである。図３５において、７０１はネットワーク、７０２はコンビニエンスストア、７１０はコンビニエンスストア内の個別固有情報印刷装置、７１１はネットワーク７０１と個別固有情報印刷装置７１０を接続する通信用インタフェース、７１２は個別固有情報印刷装置７１０の全体を統括制御する制御部、７１３はデータベース、７２０は処理プログラム部を示している。
【０１０３】
また、処理プログラム部７２０には、以下の処理部が含まれている。
・画像スキャン処理部７２１は、例えば、プリンタ内にセットされている背景印刷済媒体の一枚を選択し、プリンタ内のスキャナで背景パターンを読み取りディジタル画像データを得る処理部である。
・電子透かし情報検出処理部７２２は、背景パターンのディジタル画像データから、背景パターンに印刷された電子透かし情報を読み取り、ロット別固有情報６５２と固有ＭＤ６５３を得る処理を行う。
・ロット別固有情報の確認処理部７２３は、ロット別固有情報６５２と固有ＭＤ６５３を基に、ロット別固有情報６５２の改ざんがないか、電子透かし情報が正しく読み出せたかなどを確認する。問題がなければ処理を進め、問題があればエラー処理を行う。
・暗号化処理部７２４は、個別固有情報（「発券者秘密情報」、「購入者コード」、「販売者コード」、「予約番号」、「その他の券面印字データ」、「日付」など）を暗号化する。暗号化アルゴリズムとしては、例えば、図３で説明した一般的な「暗号鍵」を用いた暗号化方法を使用することができる他、図４に示した「鍵付きメッセージダイジェスト（ＭＤ）を利用した暗号化方法」や「鍵なしメッセージダイジェスト（ＭＤ）を利用した暗号化方法」を使用することができる。また本例では、暗号化された個別固有情報から固有ＭＤを生成し、暗号化された個別固有情報に付加する。なお、固有ＭＤとは、電子透かし情報の読み出し誤り防止のための、暗号化された個別固有情報のメッセージダイジェスト（ＭＤ）である。これにより、読み出し誤り防止や、改ざんの有無を確認することができる。
・電子透かし入り画像データ生成処理部７２５は、ロット別固有情報６５２と、暗号化された個別固有情報と、個別ＭＤを電子透かし情報として、前面パターン６５５に埋め込んだ電子透かし入り前面画像データ６５６を生成する処理部である。
・印刷出力データ生成処理部７２６は、券面に印刷する印刷出力データ６５７を生成する処理部であり、電子透かし入り前面画像データ６５６から印刷出力データ６５７を生成する処理を行う。
・印刷処理部７２７は、プリンタなどで券面に印刷出力データ６５７を印刷する処理部である。
【０１０４】
なお、この処理プログラム部７２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この個別固有情報印刷出力装置７１０には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【０１０５】
また、図３６は、ロット別固有情報と個別固有情報の電子透かし検出装置７３１の構成例を示すブロック図である。
・画像スキャン手段７３２は、電子透かし入りチケットやカードの券面をディジタルカメラやスキャナで読み取り、券面のディジタル画像データを得るための手段である。
・背景パターンの電子透かし読み取り手段７３３は、券面を読み取ったディジタル画像データから背景パターンに埋め込まれた電子透かし情報を読み取り、ロット別固有情報と固有ＭＤを得る。
・ロット別固有情報の確認手段７３４は、この得られたロット別固有情報と固有ＭＤを基に、情報の改ざんがないか、電子透かし情報が正しく読み出せたかなどを確認する。
・前面パターンの電子透かし読み取り手段７３５は、券面を読み取ったディジタル画像データから前面パターンに埋め込まれた電子透かし情報を読み取り、ロット別固有情報と、個別固有情報と固有ＭＤを抽出する。
・個別固有情報の確認手段７３６は、この抽出された個別固有情報と固有ＭＤを基に、情報の改ざんがないか、電子透かし情報が正しく読み出せたかなどを確認する。
・照合手段７３７は、手段７３３のロット別固有情報と、手段７３５のロット別固有情報とを照合し、情報に誤りがないか、電子透かし情報が正しく読み出せたか、情報が改ざんされていないかの検証を行う。これにより、前面パターンか背景パターンが改ざんされていないかを確認できる。この他、照合手段７３７は、ロット別固有番号と、個別固有情報とに含まれている発券者記憶情報により、照合を行い、検証を行ってもよい。
・照合結果出力手段７３８は、確認された結果や照合結果を、ＣＲＴや液晶表示装置に表示出力する。
【０１０６】
図３７は、ロット別固有情報と個別固有情報の検出処理のフローを示す図であり、以下、図３７を基に、検出処理の流れについて説明する。
（１）スキャナでチケットやカード７５１の券面を読み取りディジタル画像データを得る（ステップＳ１２２）。
（２）券面のディジタル画像データから背景パターンの電子透かし情報を読み取り（ステップＳ１２２）、ロット別固有情報７５２及び固有ＭＤ７５３を得る。
（３）ロット別固有情報７５２と固有ＭＤ７５３を基に、ロット別固有情報７５２の情報の改ざんがないか、電子透かし情報が正しく読み出せたかなどを確認する（ステップＳ１２３）。問題がなければ処理を進め、問題があればエラー処理を行う。この確認は、固有ＭＤ７５３を作成した際の暗号鍵とハッシュ関数とを用いて、ロット別固有情報７５２からメッセージダイジェスト（ＭＤ）を得ることにより、固有ＭＤ７５３と同一かにより行える。
（４）ステップＳ１２１で得られたディジタル画像データの前面パターンから電子透かし情報を読み取り、個別固有情報７５４と固有ＭＤ７５５を抽出する（ステップＳ１２４）。なお、電子透かし情報に、ロット別固有情報に含まれている場合は、ロット別固有情報も抽出される。
（５）個別固有情報７５４と固有ＭＤ７５５を基に、個別固有情報７５４の情報の改ざんがないか、電子透かしが正しく読み出せたかなどを確認する（ステップＳ１２５）。問題がなければ処理を進め、問題があればエラー処理を行う。
（６）ロット別固有情報７５２の発券者秘密情報と個別固有情報７５４の発券者秘密情報を照合し、情報に誤りがないか、電子透かし情報が正しく読み出せたか、情報が改ざんされていないかを検証し、その結果を出力する（ステップＳ１２６、Ｓ１２７）。なお、ここでロット別固有情報７５２と、ステップＳ１２４から得られるロット別固有情報とにより、改ざんの有無を検証することもできる。
【０１０７】
また、図３８は、図３６に示した電子透かし検出装置の具体的な構成例を示す図であり、本発明に直接関係する部分についてのみ示したものである。図３８において、８０１はネットワーク、８１１はネットワーク８０１と電子透かし検出装置８１０を接続する通信用インタフェース、８１２は電子透かし印刷装置８１０の全体を統括制御する制御部、８１３はデータベース、８２０は処理プログラム部を示している。データベース８１３には、固有ＭＤ７５３や固有ＭＤ７５５を生成した際に用いた、暗号鍵データと発券者秘密情報が記憶されている。なお、暗号鍵データは、一つでも複数でも良い。
【０１０８】
また、処理プログラム部８２０には、以下の処理部が含まれる。
・画像スキャン処理部８２１は、電子透かし入りチケットやカードの券面をディジタルカメラやスキャナで読み取り、ディジタル画像データを得る処理を行う。
・背景パターンの電子透かし読み取り処理部８２２は、券面を読み取ったディジタル画像データから背景パターンの電子透かし情報を読み取り、ロット別固有情報７５２と固有ＭＤ７５３を得る処理を行う。
・ロット別固有情報の確認処理部８２３は、読み取ったロット別固有情報７５２と固有ＭＤ７５３を基に、ハッシュ関数と、データベース８１３に記憶された暗号鍵データを用いて情報の改ざんがないか、電子透かし情報が正しく読み出せたかなどを確認する処理を行う。
・前面パターンの電子透かし読み取り処理部８２４は、券面を読み取ったディジタル画像データから前面パターンの電子透かし情報を抽出し、個別固有情報７５４と固有ＭＤ７５５を抽出する処理を行う。なお、電子透かし情報に、ロット別固有情報が含まれている場合には、ロット別固有情報を処理部８２４が抽出する。
・個別固有情報の確認処理部８２５は、読み取った個別固有情報７５４と固有ＭＤ７５５を基に、ハッシュ関数と、データベース８１３に記憶された暗号鍵データを用いて個別固有情報７５４に情報の改ざんがないか、電子透かし情報が正しく読み出せたかなどを確認する処理を行う。
・照合処理部８２６は、ロット別固有情報７５２の発券者秘密情報と個別固有情報７５４の発券者秘密情報を照合し、情報に誤りがないか、電子透かし情報が正しく読み出せたか、情報が改ざんされていないかを検証する処理を行う。これにより、改ざん等の有無を検証できる。また、照合処理部８２６は、処理部８２４によりロット別固有情報が抽出しているならば、ロット別固有情報７５２と照合することで、改ざんの有無が検証できる。
・照合結果出力処理部８２７は、照合結果を、ＣＲＴや液晶表示装置に表示出力する。
【０１０９】
なお、この処理プログラム部８２０は専用のハードウエアにより実現されるものであってもよく、またこの処理プログラム部は記憶手段の一つであるメモリおよびＣＰＵ（中央処理装置）により構成され、この処理部の機能を実現するためのプログラム（図示せず）をメモリにロードして実行することによりその機能を実現させるものであってもよい。また、この電子透かし検出装置８１０には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【０１１０】
以上説明した例では、印刷工場にて背景印刷を行い、個別固有情報の印刷も主にコンビニエンスストアなどの店舗で行う場合について説明したが、ユーザが家庭で発券を行う場合にも本発明は適用することができる。図３９は、家庭でユーザが発券を行う場合の概略フローを示す図であり、以下、図３９を基に、家庭で発券する場合の処理の流れについて説明する。
（１）背景印刷（ステップＳ１３１）
紙やプラスチックなどの媒体９０１に、印刷機９０２により背景印刷を行う。この際、背景パターンへの電子透かし情報の挿入や、コピー牽制処理を行う。背景パターンに電子透かし情報として埋め込むロット別情報には、「ロット番号」や「日付」や「会社名」などが用いられる。
（２）ユーザ別印刷（ステップＳ１３２）
ユーザ別印刷は、チケットやカードをユーザの家庭に送付する場合に、対象となるユーザ以外には流用できないようにするために、ユーザに送付するチケットやカードに予めユーザを特定するユーザ別情報（「購入者コード」や「販売者コード」などの情報）を電子透かし情報として、チケットやカードの前面パターンにプリンタ印刷する処理を行う。このユーザ別情報が印刷されたチケットやカードを、例えば、１０枚単位でユーザの家庭に配送する。
（３）個別印刷（ステップＳ１３３）
ユーザ別情報が印刷されたカードやチケットを受け取ったユーザは、さらに例えば、「チケット情報」、「日付」、「予約番号」などの個別固有情報を電子透かし情報として、カードの前面パターンに印刷する。
このようにして、ユーザは家庭にて発券ができると共に、チケットなどが自分以外の者に不正に利用される心配がない。また、ロット別の背景印刷機により偽造防止がされた媒体（台紙など）を使用することで、カラーコピーなどを使ってチケットなどを偽造することが難しく、利便性と不正防止の両立を図ることができる。
【０１１１】
次に、本発明の具体的な応用例として、サッカーチケットに本発明を適用した場合の例について説明する。
【０１１２】
現在、あるサッカーリーグは非常に人気があり、試合のチケットを入手するのは非常に困難になっている。現在このチケットは、主にチケット販売所にて専用の発券機を利用して、チケットを販売している。しかし、非常に人気が高いため、チケットの発売日にチケット販売所に行列ができるという問題があった。電話での予約受付も行っているが、チケットの発売日に電話が殺到し、殆ど電話がつながらない状況である。そこで、サッカーリーグでは、インターネットで予約を受け付け、予約の中から抽選を行いチケットを販売することを計画している
【０１１３】
しかしながら、インターネットでチケットの予約を行った場合、実際のチケットをどのようにしてユーザに渡すかが問題となる。
もちろん、従来のチケット販売所にて発券するが、販売所の数は限られており、特に大都市部以外の地域のユーザに取っては不便である。また、チケットを郵送することも考えられるが、送付に日数がかかったり、郵便料金がかかるなどの問題がある。そこで、全国にくまなく存在するコンビニエンスストアのマルチメディア端末機を使用してチケットの発券を行うことが計画されている。
コンビニエンスストアのマルチメディア端末機は印刷機能を既に内蔵しており、大きな追加投資を行うことなくチケットの発券を行うことができる。しかしながら、マルチメディア端末機の機能は限定されており、十分に不正対策を行ってチケットを発券するには技術的な問題があった。
【０１１４】
そのため、本発明を利用し、十分に不正対策を行ったチケット媒体をマルチメディア端末に供給し、安全確実にチケットの発券を行うことが可能になる。また、コンビニエンスストアで発券することで、支払いと発券を同時に行うことが可能になり、ユーザの利便性も向上する。
【０１１５】
図４０は、サッカーチケットをコンビニエンスストアにて発券する場合の処理を示している。
（１）ユーザがインターネット９１１を介して、予約管理センタ９１２にアクセスして、Ｗｅｂページを開き、チケットに予約を行う。
（２）予約管理センタ９１２からコンビニエンスストア９１３内のマルチメディア端末９１４にチケットの発行と、課金情報の通知を行う。
（３）ユーザは、コンビニエンスストア９１３でチケット受け取りと、料金の支払いを行う。
なお、不正対策を行ったチケット媒体をマルチメディア端末に供給する過程で、関係者がそのチケット媒体を抜き取り不正利用する危険性もあるが、本発明では、発券時に個別固有情報を電子透かし情報として埋め込むので、内部関係者による不正も防げる利点がある。
【０１１６】
また、さらに別の具体的な例として、景品引換券の場合について説明する。
自動車販売網などでは、今までに車を購入したユーザを中心に景品引換券をダイレクトメールにて送付し、店舗を訪問した顧客に特別な景品を渡すキャンペーンを行っている。しかしながら、景品が特に人気のあるものである場合には、景品引換券のコピーを持参して不正に受け取る事例が生じている。そこで、自動車販売網では不正を防ぐ手段を考慮する必要があるが、景品引換券について高価な偽造対策をすることは困難である。このような場合に、本発明を適用することができる。すなわち、図４１は、景品引換券を発行する場合の例について説明するための図であり、
（１）本部９２１は、ロット別固有情報の電子透かし情報を埋め込んだ背景パターンが印刷された媒体を各販売所９２２に送付する。本部８２１で一括して媒体を印刷することにより、コストを削減している。
（２）販売所９２２では、管理している顧客リストを参照して、本部９２１から供給された媒体に、顧客の個別固有情報を電子透かし情報として埋め込んだ引換券を印刷する。
（３）販売所９２２では、印刷した引換券をダイレクトメールにてユーザに送付する。
このようにて、安価に不正対策をした景品引換券を発券することが可能になる。
【０１１７】
以上、本発明の実施の形態について説明したが、本発明は、上述の図示例にのみ限定されるものではなく、本発明の要旨を逸脱しない範囲内において種々変更を加え得ることは勿論である。
【０１１８】
また、本発明で開示したチケット出力装置、電子透かし検出装置、背景印刷機、及び個別固有情報印刷機の機能を実現するためのプログラムをコンピュータ読み取り可能な記録媒体に記録して、この記録媒体に記録されたプログラムをチケット出力装置、電子透かし検出装置、背景印刷機、及び個別固有情報印刷機内のコンピュータに読み込ませ、実行することにより本発明のチケット出力装置、電子透かし検出装置、背景印刷機、及び個別固有情報印刷機の機能を実現する処理を行ってもよい。
【０１１９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１２０】
また、上記プログラムは、このプログラムを記憶装置に格納したコンピュータシステムから、伝送媒体を介して、あるいは伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する媒体のことをいう。
【０１２１】
また、上記プログラムは、前述した機能の一部を実現するものであっても良い。さらに、前述した機能をコンピュータシステムにすでに記録されているプログラムとの組み合わせで実現できるもの、いわゆる差分ファイル（差分プログラム）であってもよい。
【０１２２】
【発明の効果】
以上説明したように、請求項１記載の発明によれば、カードやチケットなどの媒体の地紋や背景パターン中に、電子透かしを埋め込むようにした。これにより、広い範囲の地紋や背景パターンに多くの電子透かしの情報と、冗長成分も多く入れ、読み出しの失敗も少ない。そのため、偽造防止のための特殊なチケット用紙などを準備する必要が無く、また、普通紙プリンタを使用できる。また、偽造防止のための特殊なチケット用紙の保管と管理の必要がなくなる。また。チケットなどの発券費用のコストの削減が図ることができる効果が得られる。
【０１２３】
また、請求項２記載の発明によれば、ロット別固有情報の電子透かしが埋め込まれた背景パターンが予め印刷されたチケットなどの上に、文字又は画像をそれぞれ独立又は文字と画像との両方からなる前面パターンを印刷し、さらに、この前面パターンにチケットなどを一意に特定する固有情報を電子透かしとして埋め込んでおくようにした。これにより、まず用紙の入手が困難であるという物理的な偽造防止効果が図れると共に、前面パターンの電子透かしにより２重の偽造防止効果を図ることができる効果が得られる。
【０１２４】
また、請求項３記載の発明によれば、カードやチケットなどの媒体の地紋や背景パターン中に、電子透かしを埋め込むようにする。これにより、広い範囲の地紋や背景パターンに多くの電子透かしの情報と、冗長成分も多く入れ、読み出しの失敗も少ない。そのため、偽造防止のための特殊なチケット用紙などを準備する必要が無く、また、普通紙プリンタを使用できる。また、偽造防止のための特殊なチケット用紙の保管と管理の必要がなくなる。また。チケットなどの発券費用のコストの削減が図ることができる効果が得られる。
【０１２５】
また、請求項４記載の発明によれば、カードやチケットなどの地紋や背景パターンに電子透かしを埋め込む他、チケットなどの前面にチケットを特定する文字情報などを印字するようにした。これにより、背景パターンの電子透かしの情報と、チケットなどの文字情報との照合ができ、チケットなどの正当性の確認が簡単に行うことができる効果が得られる。
【０１２６】
また、請求項５記載の発明によれば、前面パターンに、発券者が指定した情報を電子透かしとして埋め込むようにしたものである。これにより、 前面パターンに埋め込まれた電子透かしの情報と、券面情報との照合ができセキュリティレベルの向上を図ることができる効果が得られる。
【０１２７】
また、請求項６記載の発明によれば、ロット別固有情報が電子透かしとして埋め込まれた背景画像データを生成し、この電子透かし入り画像データをグラビア印刷機やオフセット印刷機などで大量に安価に発行するようにした。これにより、まず用紙の入手が困難であるという物理的な偽造防止効果が図ることができる効果が得られる。
【０１２８】
また、請求項７記載の発明によれば、暗号化されたロット別固有情報が電子透かしとして埋め込まれた背景画像データを生成し、この電子透かし入り画像データをグラビア印刷機やオフセット印刷機などで大量に安価に発行するようにした。これにより、電子透かしの情報が公表され、または外部に漏れても暗号化の方法が分からないので、容易に偽造されることを防止することが可能となる。
【０１２９】
また、請求項８記載の発明によれば、ロット別固有情報の電子透かしが埋め込まれた背景パターンが予め印刷されたチケットなどの上に、文字又は画像をそれぞれ独立又は文字と画像との両方からなる前面パターンを印刷し、さらに、この前面パターンにチケットなどを一意に特定する個別固有情報を電子透かしとして埋め込んでおくようにした。これにより、まず用紙の入手が困難であるという物理的な偽造防止効果が図れると共に、前面パターンの電子透かしにより２重の偽造防止効果を図ることができる効果が得られる。
【０１３０】
また、請求項９記載の発明によれば、カードやチケットなどの媒体に印刷された地紋又は背景パターンに埋め込まれた電子透かし情報を検出し、また媒体の表面に印刷された文字情報を読み取り、電子透かしの情報と文字情報とを照合し、照合結果を出力るようにしたので、これにより、地紋や背景パターンなどに埋め込まれた電子透かしの情報と、券面情報との照合ができセキュリティレベルの向上を図ることができる効果が得られる。
【０１３１】
また、請求項１０記載の発明によれば、媒体に印刷された地紋又は背景パターンから電子透かし情報を検出し、予め媒体の発行者から通知された電子透かしに関する秘密情報と照合するようにした。これにより、 発行者秘密情報と電子透かしの情報との照合が行われ、セキュリティレベルを大幅に向上できる効果が得られる。
【０１３２】
また、請求項１１記載の発明によれば、チケットやカードなどの媒体の背景パターンに埋め込まれた暗号化されたロット別固有情報の電子透かしを読み取り、その正当性を確認すると共に、前面パターンに埋め込まれた暗号化された個別固有情報の電子透かしを読み取り、その正当性を確認し、このロット別固有情報と個別固有情報中の対応するデータを照合するようにした。これにより、偽造防止効果が著しく高いチケットやカードの発行と、使用が可能になる。
【図面の簡単な説明】
【図１】  本発明によるカード及びチケットの偽造防止モデルについて説明するための図である。
【図２】  メッセージダイジェスト（ＭＤ）の生成方法について説明するための図である。
【図３】  暗号化方法と復号方法について説明するための図その１である。
【図４】  暗号化方法と復号方法について説明するための図その２である。
【図５】  電子透かし情報の暗号化について説明するための図である。
【図６】  電子透かしの固有ＭＤの利用方法について説明するための図である。
【図７】  基本的なチケット出力装置の構成例を示すブロック図である。
【図８】  図７に示すチケット出力装置の動作を説明するための処理フローである。
【図９】  チケット出力装置の具体的な構成例を示すブロック図である。
【図１０】  電子透かし検出装置の構成例を示すブロック図である。
【図１１】  図１０に示す電子透かし検出装置の動作を説明するための処理フローである。
【図１２】  電子透かし検出装置の具体的な構成例を示すブロック図である。
【図１３】  電子透かし情報の暗号化機能を装備したチケット出力装置の構成例を示すブロック図である。
【図１４】  図１３に示すチケット出力装置の動作を説明するための処理フローである。
【図１５】  暗号化機能を有するチケット出力装置の具体的な構成例を示すブロック図である。
【図１６】  透かし情報の暗号化に対応した電子透かし検出装置の構成例を示すブロック図である。
【図１７】  図１６に示す電子透かし検出装置の動作を説明するための処理フローである。
【図１８】  電子透かし情報の暗号化に対応した電子透かし検出装置の具体的な構成例を示すブロック図である。
【図１９】  パスフレーズから生成した暗号鍵を用いたチケット出力装置の構成例を示すブロック図である。
【図２０】  図１９に示すチケット出力装置の動作を説明するための処理フローである。
【図２１】  パスフレーズによる暗号化対応のチケット出力装置の具体的な構成例を示すブロック図である。
【図２２】  パスフレーズ暗号化対応の電子透かし検出装置の構成例を示すブロック図である。
【図２３】  図２２に示す電子透かし検出装置の動作を説明するための処理フローである。
【図２４】  パスフレーズ暗号化対応の電子透かし検出装置の具体的な構成例を示すブロック図である。
【図２５】  印刷機とプリンタを併用して発行されるチケットの例を示す図である。
【図２６】  印刷機とプリンタを併用して発行されるカードの例を示す図である。
【図２７】  背景印刷と個別印刷の概略フローを示す図である。
【図２８】  背景印刷の概略処理フローを示す図である。
【図２９】  個別印刷の概略処理フローを示す図である。
【図３０】  背景印刷機の構成例を示すブロック図である。
【図３１】  背景印刷の処理フローを示す図である。
【図３２】  背景印刷機の具体的な構成例を示すブロック図である。
【図３３】  個別固有情報印刷装置の構成例を示すブロック図である。
【図３４】  個別固有情報印刷の処理フローを示す図である。
【図３５】  個別固有情報印刷機の具体的な構成例を示すブロック図である。
【図３６】  ロット別固有情報と個別固有情報の電子透かし検出装置の構成例を示すブロック図である。
【図３７】  ロット別固有情報と個別固有情報の検出処理のフローを示す図である。
【図３８】  図３６に示した電子透かし検出装置の具体的な構成例を示す図である。
【図３９】   家庭でユーザが発券を行う場合の概略フローを示す図である。
【図４０】   サッカーチケットの場合の例について説明するための図である。
【図４１】   景品引換券の場合の例について説明するための図である。
【符号の説明】
１  コンビニエンスストア等
２  ネットワーク
３  チケット出力装置
４  背景画像データベース
５  プリンタ
６  チケット発券情報データベース
７  チケット又はカード
８ａ  ディジタルカメラ
８ｂ  ハンディスキャナ
９  電子透かし検出装置
１０  発券者秘密情報データベース
２０  チケット出力装置
２１  電子透かし入り画像データ生成手段
２２  文字画像生成手段
２３  印刷出力データ生成手段
２４  印刷手段
８０  電子透かし検出装置
８１  画像スキャン手段
８２  電子透かし情報検出手段
８３  文字検出手段
８４  発券者秘密情報記憶手段
８５  データ照合手段
８６  表示手段
１３０、２６０  チケット出力装置
１３１、２６３  データ結合手段
１３２、２６４  暗号化手段
１３３、２６５  電子透かし入り画像データ生成手段
１３４、２６６  文字画像生成手段
１３５、２６７  印刷出力データ生成手段
１３６、２６８  印刷手段
１９０、３４０  電子透かし検出装置
１９１、３４１  画像スキャン手段
１９２、３４２  電子透かし情報検出手段
１９３、３４３  文字検出手段
１９４、３４５  データ結合手段
１９５  暗号鍵情報記憶手段
１９６、３４８  暗号化手段
１９７、３４９  データ照合手段
１９８、３４４  発券者秘密情報記憶手段
１９９、３５０  表示手段
２６１、３４６  パスフレーズ入力手段
２６２、３４７  暗号鍵生成手段
３４５  データ結合手段
３４８  暗号化手段
５２２、５３３、５５１  背景印刷機
５２３、５４２  プリンタ
５５２  暗号化手段
５５３  電子透かし入り画像データ生成手段
５５４  印刷出力データ生成手段
５５５  印刷手段
６３１  個別固有情報印刷装置
６３２  画像スキャン手段
６３３  電子透かし情報検出手段
６３４  ロット別固有情報の確認手段
６３５  暗号化手段
６３６  電子透かし入り画像データ生成手段
６３７  印刷出力データ生成手段
６３８  印刷手段
７３１  電子透かし検出装置
７３２  画像スキャン手段
７３３  背景パターンの電子透かし読み取り手段
７３４  ロット別固有情報の確認手段
７３５  前面パターンの電子透かし読み取り手段
７３６  個別固有情報の確認手段
７３７  照合手段
７３８  照合結果出力手段
【図１】
0003800070.tif 000002
【図２】
0003800070.tif 000003
【図３】
0003800070.tif 000004
【図４】
0003800070.tif 000005
【図５】
0003800070.tif 000006
【図６】
0003800070.tif 000007
【図７】
0003800070.tif 000008
【図８】
0003800070.tif 000009
【図９】
0003800070.tif 000010
【図１０】
0003800070.tif 000011
【図１１】
0003800070.tif 000012
【図１２】
0003800070.tif 000013
【図１３】
0003800070.tif 000014
【図１４】
0003800070.tif 000015
【図１５】
0003800070.tif 000016
【図１６】
0003800070.tif 000017
【図１７】
0003800070.tif 000018
【図１８】
0003800070.tif 000019
【図１９】
0003800070.tif 000020
【図２０】
0003800070.tif 000021
【図２１】
0003800070.tif 000022
【図２２】
0003800070.tif 000023
【図２３】
0003800070.tif 000024
【図２４】
0003800070.tif 000025
【図２５】
0003800070.tif 000026
【図２６】
0003800070.tif 000027
【図２７】
0003800070.tif 000028
【図２８】
0003800070.tif 000029
【図２９】
0003800070.tif 000030
【図３０】
0003800070.tif 000031
【図３１】
0003800070.tif 000032
【図３２】
0003800070.tif 000033
【図３３】
0003800070.tif 000034
【図３４】
0003800070.tif 000035
【図３５】
0003800070.tif 000036
【図３６】
0003800070.tif 000037
【図３７】
0003800070.tif 000038
【図３８】
0003800070.tif 000039
【図３９】
0003800070.tif 000040
【図４０】
0003800070.tif 000041
【図４１】
0003800070.tif 000042